(57)【要約】  アンライセンスキャリア処理方法、装置、及びシステムが提供される。アンライセンスキャリア処理方法は、コンバージェンスノードが、第１のアンライセンスキャリアを用いる第１のセカンダリセルを展開する段階と、コンバージェンスノードが、ピコリモート無線ユニットｐＲＲＵによって測定された周波数干渉情報に基づいて、第１のセカンダリセルの周波数情報を生成する段階であって、周波数情報は、第１のアンライセンスキャリアに対応し、且つ、第１のセカンダリセルのためにコンバージェンスノードによって選択される第１の周波数を含む、段階と、コンバージェンスノードが、ベースバンドユニットＢＢＵに第１のセカンダリセルのセル情報を送信する段階であって、セル情報は、第１のセカンダリセルの周波数情報を含み、ＢＢＵは、ライセンスキャリアを用いるターゲットプライマリセルに対応する、段階とを含む。
2021507630.tif 000002
【特許請求の範囲】
【請求項１】
アンライセンスキャリア処理方法であって、
コンバージェンスノードが、第１のアンライセンスキャリアを用いる第１のセカンダリセルを展開する段階と、
前記コンバージェンスノードが、ピコリモート無線ユニットｐＲＲＵによって測定された周波数干渉情報に基づいて、前記第１のセカンダリセルの周波数情報を生成する段階であって、前記周波数情報は、前記第１のアンライセンスキャリアに対応し、且つ、前記第１のセカンダリセルのために前記コンバージェンスノードによって選択される第１の周波数を含む、段階と、
前記コンバージェンスノードが、ベースバンドユニットＢＢＵに前記第１のセカンダリセルのセル情報を送信する段階であって、前記セル情報は、前記第１のセカンダリセルの前記周波数情報を含み、前記ＢＢＵは、ライセンスキャリアを用いるターゲットプライマリセルに対応する、段階と
を備える、方法。
【請求項２】
前記コンバージェンスノードが、ピコリモート無線ユニットｐＲＲＵによって測定された周波数干渉情報に基づいて、前記第１のセカンダリセルの周波数情報を前記生成する段階は、
前記コンバージェンスノードが、前記ｐＲＲＵによって測定された前記周波数干渉情報と、ｐＲＲＵ間のトポロジー関係と、前記ｐＲＲＵとセルとの間のマッピング関係とに基づいて、前記第１のセカンダリセルの前記周波数情報を生成する段階であって、前記セルは、前記第１のセカンダリセル及び前記ターゲットプライマリセルを含む、段階
を有する、請求項１に記載の方法。
【請求項３】
前記コンバージェンスノードが、前記ｐＲＲＵによって測定された前記周波数干渉情報と、ｐＲＲＵ間のトポロジー関係と、前記ｐＲＲＵとセルとの間のマッピング関係とに基づいて、前記第１のセカンダリセルの前記周波数情報を前記生成する段階は、
前記コンバージェンスノードが、Ｍ個のｐＲＲＵによってそれぞれレポートされた周波数測定結果を受信する段階であって、前記周波数測定結果は、各ｐＲＲＵがＮ個の周波数に対して干渉測定を実行した後に生成された情報であり、Ｍ及びＮは、正の整数である、段階と、
前記コンバージェンスノードが、前記Ｎ個の周波数から、前記周波数測定結果と、前記トポロジー関係と、前記マッピング関係とに基づいて、その干渉値が干渉閾値より小さい周波数を、前記第１の周波数として選択する段階であって、前記干渉閾値は、前記Ｎ個の周波数の中で最も小さい干渉値を用いることによって決定される、段階と、
前記コンバージェンスノードが、選択された前記第１の周波数に基づいて、前記第１のセカンダリセルの前記周波数情報を生成する段階と
を含む、請求項２に記載の方法。
【請求項４】
前記コンバージェンスノードが、前記Ｎ個の周波数から、前記周波数測定結果と、前記トポロジー関係と、前記マッピング関係とに基づいて、その干渉値が干渉閾値より小さい周波数を、前記第１の周波数として前記選択する段階は、
前記コンバージェンスノードが、前記Ｎ個の周波数から、その前記干渉値が前記干渉閾値より小さく、且つ、その前記ターゲットプライマリセルにおけるアンライセンスキャリアの周波数の数が前記周波数の数の閾値より少ない周波数を、前記第１の周波数として選択する段階
を含む、請求項３に記載の方法。
【請求項５】
コンバージェンスノードが、第１のアンライセンスキャリアを用いる第１のセカンダリセルを前記展開する段階は、
前記コンバージェンスノードが、セカンダリセルの領域情報を取得する段階と、
前記コンバージェンスノードが、前記セカンダリセルの前記領域情報に基づいて、前記第１のアンライセンスキャリアを用いる前記第１のセカンダリセルを作成する段階と
を有する、請求項１に記載の方法。
【請求項６】
前記コンバージェンスノードが、ベースバンドユニットＢＢＵに前記第１のセカンダリセルのセル情報を前記送信する段階の前に、前記方法は、
前記コンバージェンスノードが、同じキャリアを用いることにより共有を実行するという原理に基づいて、前記第１のセカンダリセルと重複したカバレッジエリアを有するプライマリセルを、前記ターゲットプライマリセルとして決定する段階と、
前記コンバージェンスノードが、前記ターゲットプライマリセルに基づいて、前記ＢＢＵを決定する段階と
をさらに備える、請求項１から５のいずれか一項に記載の方法。
【請求項７】
前記コンバージェンスノードが、ベースバンドユニットＢＢＵに前記第１のセカンダリセルのセル情報を前記送信する段階の前に、前記方法は、
前記コンバージェンスノードが、異なるキャリアを用いることにより共有を実行するという原理によって必要とされるアンライセンスキャリア割り当て割合に基づいて、前記第１のアンライセンスキャリアが割り当てられるＢＢＵセットを決定する段階と、
前記コンバージェンスノードが、前記第１のアンライセンスキャリアが割り当てられる前記ＢＢＵセットに対応する複数のプライマリセルから、前記第１のセカンダリセルと重複したカバレッジエリアを有するプライマリセルを、前記ターゲットプライマリセルとして決定する段階と、
前記コンバージェンスノードが、前記ターゲットプライマリセルに基づいて、前記ＢＢＵを決定する段階と
をさらに備える、請求項１から５のいずれか一項に記載の方法。
【請求項８】
アンライセンスキャリア処理方法であって、
ベースバンドユニットＢＢＵが、第１のセカンダリセルの、コンバージェンスノードによって送信されるセル情報を受信する段階であって、前記ＢＢＵは、ライセンスキャリアを用いるターゲットプライマリセルに対応し、前記セル情報は、第１のアンライセンスキャリアに対応し、且つ、前記コンバージェンスノードによって選択される第１の周波数を含む、段階と、
前記ＢＢＵが、前記第１のセカンダリセルの前記セル情報に基づいて、前記第１のアンライセンスキャリアを用いる前記第１のセカンダリセルを設定する段階と
を備える、方法。
【請求項９】
前記ＢＢＵが、前記第１のセカンダリセルの前記セル情報に基づいて、前記第１のアンライセンスキャリアを用いる前記第１のセカンダリセルを前記設定する段階は、
前記ＢＢＵが、端末に測定設定情報を送信する段階であって、前記測定設定情報は、測定する必要がある第１の周波数を含む、段階と、
前記ＢＢＵが、前記測定設定情報に基づいて前記端末によりレポートされた測定レポートを受信する段階と、
前記ＢＢＵが、前記端末によりレポートされた前記測定レポートに基づいて、前記第１の周波数で前記セカンダリセルを設定する段階と、
を有する、請求項８に記載の方法。
【請求項１０】
前記ＢＢＵが、端末に測定設定情報を前記送信する段階は、
前記ＢＢＵが、前記第１のセカンダリセルの前記セル情報に基づいて、第１の周波数の数がＳ個であることを決定する段階であって、Ｓは２より大きい又はこれに等しい正の整数である、段階と、
前記ＢＢＵが、前記Ｓ個の第１の周波数によって個別に所有されるセカンダリセルの数に基づいて、前記Ｓ個の第１の周波数からＴ個の第１の周波数を決定する段階であって、ＴはＳより小さい又はこれに等しい、段階と、
前記ＢＢＵが、測定する必要がある前記Ｔ個の第１の周波数の測定設定情報を、前記端末に送信する段階と
を含む、請求項９に記載の方法。
【請求項１１】
コンバージェンスノードであって、
第１のアンライセンスキャリアを用いる第１のセカンダリセルを展開するように構成される処理モジュールであって、前記処理モジュールは、ピコリモート無線ユニットｐＲＲＵによって測定された周波数干渉情報に基づいて、前記第１のセカンダリセルの周波数情報を生成するようにさらに構成され、前記周波数情報は、前記第１のアンライセンスキャリアに対応し、且つ、前記第１のセカンダリセルのために前記コンバージェンスノードによって選択される第１の周波数を含む、処理モジュールと、
ベースバンドユニットＢＢＵに前記第１のセカンダリセルのセル情報を送信するように構成される送信モジュールであって、前記セル情報は、前記第１のセカンダリセルの前記周波数情報を含み、前記ＢＢＵは、ライセンスキャリアを用いるターゲットプライマリセルに対応する、送信モジュールと
を備える、コンバージェンスノード。
【請求項１２】
前記処理モジュールは、具体的には、前記ｐＲＲＵによって測定された前記周波数干渉情報と、ｐＲＲＵ間のトポロジー関係と、前記ｐＲＲＵとセルとの間のマッピング関係とに基づいて、前記第１のセカンダリセルの前記周波数情報を生成するように構成され、前記セルは、前記第１のセカンダリセル及び前記ターゲットプライマリセルを含む、請求項１１に記載のコンバージェンスノード。
【請求項１３】
前記コンバージェンスノードは、受信モジュールをさらに備え、 
前記受信モジュールは、Ｍ個のｐＲＲＵによってそれぞれレポートされた周波数測定結果を受信するように構成され、前記周波数測定結果は、各ｐＲＲＵがＮ個の周波数に対して干渉測定を実行した後に生成された情報であり、Ｍ及びＮは、正の整数であり、
前記処理モジュールは、具体的には、前記Ｎ個の周波数から、前記周波数測定結果と、前記トポロジー関係と、前記マッピング関係とに基づいて、その干渉値が干渉閾値より小さい周波数を、前記第１の周波数として選択することであって、前記干渉閾値は、前記Ｎ個の周波数の中で最も小さい干渉値を用いることによって決定される、選択することと、選択された前記第１の周波数に基づいて、前記第１のセカンダリセルの前記周波数情報を生成することとを行うように構成される、
請求項１２に記載のコンバージェンスノード。
【請求項１４】
前記処理モジュールは、具体的には、前記Ｎ個の周波数から、その前記干渉値が前記干渉閾値より小さく、且つ、その前記ターゲットプライマリセルにおけるアンライセンスキャリアの周波数の数が前記周波数の数の閾値より少ない周波数を、前記第１の周波数として選択するように構成される、請求項１３に記載のコンバージェンスノード。
【請求項１５】
前記処理モジュールは、具体的には、セカンダリセルの領域情報を取得し、前記セカンダリセルの前記領域情報に基づいて、前記第１のアンライセンスキャリアを用いる前記第１のセカンダリセルを作成するように構成される、請求項１１に記載のコンバージェンスノード。
【請求項１６】
前記送信モジュールが前記ベースバンドユニットＢＢＵに前記第１のセカンダリセルの前記セル情報を送信する前に、前記処理モジュールは、同じキャリアを用いることにより共有を実行するという原理に基づいて、前記第１のセカンダリセルと重複したカバレッジエリアを有するプライマリセルを、前記ターゲットプライマリセルとして決定し、前記ターゲットプライマリセルに基づいて、前記ＢＢＵを決定するようにさらに構成される、請求項１１から１５のいずれか一項に記載のコンバージェンスノード。
【請求項１７】
前記送信モジュールが前記ベースバンドユニットＢＢＵに前記第１のセカンダリセルの前記セル情報を送信する前に、前記処理モジュールは、異なるキャリアを用いることにより共有を実行するという原理によって必要とされるアンライセンスキャリア割り当て割合に基づいて、前記第１のアンライセンスキャリアが割り当てられるＢＢＵセットを決定し、前記第１のアンライセンスキャリアが割り当てられる前記ＢＢＵセットに対応する複数のプライマリセルから、前記第１のセカンダリセルと重複したカバレッジエリアを有するプライマリセルを、前記ターゲットプライマリセルとして決定し、前記ターゲットプライマリセルに基づいて、前記ＢＢＵを決定するようにさらに構成される、請求項１１から１５のいずれか一項に記載のコンバージェンスノード。
【請求項１８】
ベースバンドユニットＢＢＵであって、前記ベースバンドユニットは、ライセンスキャリアを用いるターゲットプライマリセルに対応し、前記ベースバンドユニットは、
第１のセカンダリセルの、コンバージェンスノードによって送信されるセル情報を受信するように構成される受信モジュールであって、前記セル情報は、第１のアンライセンスキャリアに対応し、且つ、前記コンバージェンスノードによって選択される第１の周波数を含む、受信モジュールと、
前記第１のセカンダリセルの前記セル情報に基づいて、前記第１のアンライセンスキャリアを用いる前記第１のセカンダリセルを設定するように構成される処理モジュールと
を備える、ベースバンドユニット。
【請求項１９】
前記ベースバンドユニットは、送信モジュールをさらに備え、
前記送信モジュールは、端末に測定設定情報を送信するように構成され、前記測定設定情報は、測定する必要がある第１の周波数を含み、
前記受信モジュールは、前記測定設定情報に基づいて前記端末によりレポートされた測定レポートを受信するように構成され、
前記処理モジュールは、具体的には、前記端末によりレポートされた前記測定レポートに基づいて、前記第１の周波数で前記セカンダリセルを設定するように構成される、
請求項１８に記載のベースバンドユニット。
【請求項２０】
前記処理モジュールは、具体的には、前記第１のセカンダリセルの前記セル情報に基づいて、第１の周波数の数がＳ個であることを決定することであって、Ｓは２より大きい又はこれに等しい正の整数である、決定することと、前記Ｓ個の第１の周波数によって個別に所有されるセカンダリセルの数に基づいて、前記Ｓ個の第１の周波数からＴ個の第１の周波数を決定することであって、ＴはＳより小さい又はこれに等しい、決定することとを行うように構成され、
前記送信モジュールは、具体的には、測定する必要がある前記Ｔ個の第１の周波数の測定設定情報を、前記端末に送信するように構成される、
請求項１９に記載のベースバンドユニット。
【請求項２１】
コンバージェンスノードであって、
前記コンバージェンスノードは、プロセッサと、メモリとを備え、前記プロセッサと前記メモリとは、互いに通信し、
前記メモリは、命令を格納するように構成され、
前記プロセッサは、前記メモリ内の前記命令を実行し、請求項１から７のいずれか一項に記載の方法を実行するように構成される、
コンバージェンスノード。
【請求項２２】
ベースバンドユニットＢＢＵであって、
前記ベースバンドユニットは、プロセッサと、メモリとを備え、前記プロセッサと前記メモリとは、互いに通信し、
前記メモリは、命令を格納するように構成され、
前記プロセッサは、前記メモリ内の前記命令を実行して、請求項８から１０のいずれか一項に記載の方法を実行するように構成される、
ベースバンドユニット。
【請求項２３】
命令を備え、
前記命令がコンピュータ上で実行されると、前記コンピュータは、請求項１から７のいずれか一項に記載の方法を実行すること、又は請求項８から１０のいずれか一項に記載の方法を実行することが可能である、
コンピュータ可読記憶媒体。
【請求項２４】
命令を備え、
前記命令がコンピュータ上で実行されると、前記コンピュータは、請求項１から７のいずれか一項に記載の方法を実行すること、又は請求項８から１０のいずれか一項に記載の方法を実行することが可能である、
コンピュータプログラム製品。
【請求項２５】
アンライセンスキャリア処理方法であって、
コンバージェンスノードと、ベースバンドユニットＢＢＵとを備え、
前記コンバージェンスノードと前記ベースバンドユニットとは、互いに通信し、
前記コンバージェンスノードは、請求項１１から１７のいずれか一項に記載のコンバージェンスノードであり、
前記ベースバンドユニットは、請求項１８から２０のいずれか一項に記載のベースバンドユニットである、
アンライセンスキャリア処理方法。
【発明の詳細な説明】
【技術分野】
【０００１】
本願の実施形態は、通信分野に関連し、特に、アンライセンスキャリア処理方法、装置、及びシステムに関連する。
【背景技術】
【０００２】
ＬａｍｐＳｉｔｅ（ＬａｍｐＳｉｔｅ）は、屋内カバレッジの解決手段である。ＬａｍｐＳｉｔｅは、主に、モバイルブロードバンドデータの屋内カバレッジに重点を置く。屋内カバレッジのデジタル化によって、屋内カバレッジの構築及び保守コストが大幅に削減され、モバイルブロードバンド体験のプロモーションが促進される。
【０００３】
モバイル通信市場の急速な発展に伴って、ユーザは、次第に、可能な限りいつでもどこでも高品質な通信ネットワークにアクセスすることを望む。したがって、モバイル通信のサービスプロバイダーは、コールサービスに対するユーザの要件をできる限り満たすべく、電波がほとんどカバーすることができない不感地域、例えば、屋外、建物の内部、及び地下にリピーターを配置することを開始する。ＬａｍｐＳｉｔｅに基づいて実装される統合アクセスシステムは、複数の規格及び複数の周波数帯をサポートするための専用の分散型のシステムアーキテクチャである。
【０００４】
現在の統合アクセスシステムは、屋内の共通の設定及び共有を実装し得る。コンバージェンスノードは、ベースバンドユニット（Ｂａｓｅ  Ｂａｎｄ  Ｕｎｉｔ、ＢＢＵ）にわたって相互接続インタフェースを開き、その結果、ＢＢＵはコンバージェンスノードにアクセスし、それにより、異なるＢＢＵを用いることにより複数のオペレータによって実行される共通の設定及び共有を実装する。先行技術では、コンバージェンスノードはライセンス（Ｌｉｃｅｎｓｅｄ）キャリアのリソースを管理するように構成されてよく、異なるオペレータはオペレータに割り当てられたライセンスキャリアを用いてよく、その結果、オペレータ間で用いられるライセンス周波数は互いに独立している。
【０００５】
現在の統合アクセスシステムでは、アンライセンス（Ｕｎｌｉｃｅｎｓｅｄ）キャリアを用いる方法の解決手段は存在しない。アンライセンスキャリア及びライセンスキャリアが、同じマルチオペレータ共有解決手段を用いる場合、オペレータ間で用いられるアンライセンス周波数は互いに制約される。アンライセンスキャリアの周波数が共有され、干渉状態が動的に変更するので、複数のオペレータがアンライセンスキャリアの周波数を共有する必要がある場合、異なるオペレータが同じアンライセンスキャリアの周波数を選択する場合があり、強い干渉の原因となる。その結果、アンライセンスキャリアのスペクトル利用が減少する。
【発明の概要】
【０００６】
本願の実施形態は、アンライセンスキャリアの共通の設定及び共有を実装し、アンライセンスキャリアのスペクトル利用を改善するアンライセンスキャリア処理方法、装置、及びシステムを提供する。
【０００７】
第１の態様によれば、本願の一実施形態は、コンバージェンスノードが、第１のアンライセンスキャリアを用いる第１のセカンダリセルを展開する段階と、コンバージェンスノードが、ピコリモート無線ユニットｐＲＲＵによって測定された周波数干渉情報に基づいて、第１のセカンダリセルの周波数情報を生成する段階であって、周波数情報は、第１のアンライセンスキャリアに対応し、且つ、第１のセカンダリセルのためにコンバージェンスノードによって選択される第１の周波数を含む、段階と、コンバージェンスノードが、ベースバンドユニットＢＢＵに第１のセカンダリセルのセル情報を送信する段階であって、セル情報は、第１のセカンダリセルの周波数情報を含み、ＢＢＵは、ライセンスキャリアを用いるターゲットプライマリセルに対応する、段階とを含むアンライセンスキャリア処理方法を提供する。本出願の本実施形態において、アンライセンスキャリアを用いるセカンダリセルがコンバージェンスノードで展開され、コンバージェンスノードがセカンダリセルの周波数を均一に計画し得、その結果、瞬間の動作帯域幅でｐＲＲＵによって実行される制約が満たされ得る。本出願の本実施形態において、アンライセンスキャリアの展開位置がコンバージェンスノードに配置され、その結果、アンライセンスキャリアを用いるセカンダリセルが、オペレータ間の共通の設定及び共有を実装すべく、公共のリソースとして用いられ得、それにより、アンライセンスキャリアのスペクトル利用を改善する。
【０００８】
第１の態様の可能な設計において、コンバージェンスノードが、ピコリモート無線ユニットｐＲＲＵによって測定された周波数干渉情報に基づいて、第１のセカンダリセルの周波数情報を生成する段階は、コンバージェンスノードが、ｐＲＲＵによって測定された周波数干渉情報と、ｐＲＲＵ間のトポロジー関係と、ｐＲＲＵとセルとの間のマッピング関係とに基づいて、第１のセカンダリセルの周波数情報を生成する段階であって、セルは、第１のセカンダリセル及びターゲットプライマリセルを含む、段階を含む。コンバージェンスノードは、ｐＲＲＵによって測定された周波数干渉情報と、ｐＲＲＵ間のトポロジー関係と、ｐＲＲＵとセルとの間のマッピング関係とに基づいて、第１のセカンダリセルに対する最適な周波数を第１の周波数としてさらに選択し得る。ここで、最適な周波数は、その干渉値及びターゲットプライマリセルのカバレッジエリアにおける周波数の数が要件を満たす周波数であり得る。
【０００９】
第１の態様の可能な設計において、コンバージェンスノードが、ｐＲＲＵによって測定された周波数干渉情報と、ｐＲＲＵ間のトポロジー関係と、ｐＲＲＵとセルとの間のマッピング関係とに基づいて、第１のセカンダリセルの周波数情報を生成する段階は、コンバージェンスノードが、Ｍ個のｐＲＲＵによってそれぞれレポートされた周波数測定結果を受信する段階であって、周波数測定結果は、各ｐＲＲＵがＮ個の周波数に対して干渉測定を実行した後に生成された情報であり、Ｍ及びＮは、正の整数である、段階と、コンバージェンスノードが、Ｎ個の周波数から、周波数測定結果と、トポロジー関係と、マッピング関係とに基づいて、その干渉値が干渉閾値より小さい周波数を、第１の周波数として選択する段階であって、干渉閾値は、Ｎ個の周波数の中で最も小さい干渉値を用いることによって決定される、段階と、コンバージェンスノードが、選択された第１の周波数に基づいて、第１のセカンダリセルの周波数情報を生成する段階とを含む。コンバージェンスノードは、ｐＲＲＵとセルとの間のマッピング関係を用いることによって、第１のアンライセンスキャリアに対応するｐＲＲＵを決定し得る。コンバージェンスノードは、ｐＲＲＵ間のトポロジー関係に基づいて、且つ、Ｎ個の周波数の周波数干渉情報を参照して、その干渉値が干渉閾値より小さい周波数を第１の周波数として選択し、異なるｐＲＲＵ間の干渉を削減し得る。
【００１０】
第１の態様の可能な設計において、コンバージェンスノードが、Ｎ個の周波数から、周波数測定結果と、トポロジー関係と、マッピング関係とに基づいて、その干渉値が干渉閾値より小さい周波数を、第１の周波数として選択する段階は、コンバージェンスノードが、Ｎ個の周波数から、その干渉値が干渉閾値より小さく、且つ、そのターゲットプライマリセルにおけるアンライセンスキャリアの周波数の数が周波数の数の閾値より少ない周波数を、第１の周波数として選択する段階を含む。第１のセカンダリセルに対する周波数を選択するとき、コンバージェンスノードは、Ｎ個の周波数から第１のセカンダリセルに対する第１の周波数を選択するための選択条件として、干渉閾値と周波数の数の閾値との両方を考慮し得る。例えば、選択条件は、ｐＲＲＵ間のアンライセンスキャリアの干渉が最低であり、且つ、同じターゲットプライマリセルのカバレッジエリアにおけるアンライセンスキャリアの周波数の数が最低であることを満たし得る。このように、異なるｐＲＲＵ間の干渉が削減され得る。
【００１１】
第１の態様の可能な設計において、コンバージェンスノードが、第１のアンライセンスキャリアを用いる第１のセカンダリセルを展開する段階は、コンバージェンスノードが、セカンダリセルの領域情報を取得する段階と、コンバージェンスノードが、セカンダリセルの領域情報に基づいて、第１のアンライセンスキャリアを用いる第１のセカンダリセルを作成する段階とを含む。コンバージェンスノードは、セカンダリセルの領域情報に基づいて、領域内のセカンダリセルによって用いられることが許可された第１のアンライセンスキャリアを自動的に生成し得、セカンダリセルに関連する全ての公共の設定を自動的に設定し得る。さらに、アンライセンスキャリアの共存の解決手段は、カスタマイズされた設定及び保守なしで、コンバージェンスノードを用いることによって、完了し得る。
【００１２】
第１の態様の可能な設計において、コンバージェンスノードが、ベースバンドユニットＢＢＵに第１のセカンダリセルのセル情報を送信する段階の前に、方法は、コンバージェンスノードが、同じキャリアを用いることにより共有を実行するという原理に基づいて、第１のセカンダリセルと重複したカバレッジエリアを有するプライマリセルを、ターゲットプライマリセルとして決定する段階と、コンバージェンスノードが、ターゲットプライマリセルに基づいて、ＢＢＵを決定する段階とをさらに含む。コンバージェンスノードは、同じキャリアを用いることによって共有を実行する方式で、ターゲットプライマリセルを決定し得る。例えば、第１のセカンダリセルと重複したカバレッジエリアを有するプライマリセルはターゲットプライマリセルであり、ターゲットプライマリセルに対応するＢＢＵはコンバージェンスノードによって送信された周波数情報を受信するオブジェクトであり、その結果、コンバージェンスノードは、決定されたＢＢＵに基づいて、決定されたＢＢＵに第１のセカンダリセルのセル情報を送信し得る。
【００１３】
第１の態様の可能な設計において、コンバージェンスノードが、ベースバンドユニットＢＢＵに第１のセカンダリセルのセル情報を送信する段階の前に、方法は、コンバージェンスノードが、異なるキャリアの共有原理を用いることにより共有を実行するという原理によって必要とされるアンライセンスキャリア割り当て割合に基づいて、第１のアンライセンスキャリアが割り当てられるＢＢＵセットを決定する段階と、コンバージェンスノードが、第１のアンライセンスキャリアが割り当てられるＢＢＵセットに対応する複数のプライマリセルから、第１のセカンダリセルと重複したカバレッジエリアを有するプライマリセルを、ターゲットプライマリセルとして決定する段階と、コンバージェンスノードが、ターゲットプライマリセルに基づいて、ＢＢＵを決定する段階とをさらに含む。コンバージェンスノードは、異なるキャリアを用いることによって共有を実行する方式で、ターゲットプライマリセルをさらに決定し得る。例えば、コンバージェンスノードは、オペレータ間のキャリア割り当て割合に基づいて、第１のセカンダリセルが割り当てられるオペレータを決定する。オペレータはＢＢＵセットを用い得る。その後、第１のセカンダリセルと重複したカバレッジエリアを有し、且つ、ＢＢＵセットに対応する複数のプライマリセルから選択されるプライマリセルはターゲットプライマリセルであり、ターゲットプライマリセルに対応するＢＢＵはコンバージェンスノードによって送信された周波数情報を受信するオブジェクトであり、その結果、コンバージェンスノードは、決定されたＢＢＵに基づいて、決定されたＢＢＵに第１のセカンダリセルのセル情報を送信し得る。
【００１４】
第２の態様によれば、本願の一実施形態は、ベースバンドユニットＢＢＵが、第１のセカンダリセルの、コンバージェンスノードによって送信されるセル情報を受信する段階であって、ＢＢＵは、ライセンスキャリアを用いるターゲットプライマリセルに対応し、セル情報は、第１のアンライセンスキャリアに対応し、且つ、コンバージェンスノードによって選択される第１の周波数を含む、段階と、ＢＢＵが、第１のセカンダリセルのセル情報に基づいて、第１のアンライセンスキャリアを用いる第１のセカンダリセルを設定する段階とを含むアンライセンスキャリア処理方法をさらに提供する。本出願の本実施形態において、ベースバンドユニットは、コンバージェンスノードから、アンライセンスキャリアに対応する周波数を決定し得、その結果、セカンダリセルが周波数で設定され得る。ベースバンドユニットは設定されたセカンダリセルを用いることによってデータを送信し得、それにより、アンライセンスキャリアのスペクトル利用を実装する。
【００１５】
第２の態様の可能な設計において、ＢＢＵが、第１のセカンダリセルのセル情報に基づいて、第１のアンライセンスキャリアを用いる第１のセカンダリセルを設定する段階は、ＢＢＵが、端末に測定設定情報を送信する段階であって、測定設定情報は、測定する必要がある第１の周波数を含む、段階と、ＢＢＵが、測定設定情報に基づいて端末によりレポートされた測定レポートを受信する段階と、ＢＢＵが、端末によりレポートされた測定レポートに基づいて、第１の周波数でセカンダリセルを設定する段階とを含む。ＢＢＵは端末に測定設定情報を配信し得、その結果、端末は、ＢＢＵによって示される第１の周波数に基づいて、測定を実行し得る。端末はＢＢＵに測定レポートをレポートし、ＢＢＵは端末によってレポートされた測定レポートに基づいて第１の周波数で第１のセカンダリセルを設定し、測定レポートに基づいてセカンダリセルの正確な設定を実装し得る。
【００１６】
第２の態様の可能な設計において、ＢＢＵが、端末に測定設定情報を送信する段階は、ＢＢＵが、第１のセカンダリセルのセル情報に基づいて、第１の周波数の数がＳ個であることを決定する段階であって、Ｓは２より大きい又はこれに等しい正の整数である、段階と、ＢＢＵが、Ｓ個の第１の周波数によって個別に所有されるセカンダリセルの数に基づいて、Ｓ個の第１の周波数からＴ個の第１の周波数を決定する段階であって、ＴはＳより小さい又はこれに等しい、段階と、ＢＢＵが、測定する必要があるＴ個の第１の周波数の測定設定情報を、端末に送信する段階とを含む。端末は、Ｔ個の第１の周波数に対する測定を実行し得る。ＢＢＵはＳ個の第１の周波数を選択し、ＢＢＵは端末がＴ個の第１の周波数を測定することのみを必要とする。ＴがＳより小さいとき、本出願の本実施形態は、端末が測定する周波数の数を削減し、測定効率を改善する。
【００１７】
第３の態様によれば、本願の一実施形態は、コンバージェンスノードであって、第１のアンライセンスキャリアを用いる第１のセカンダリセルを展開するように構成される処理モジュールであって、当該処理モジュールは、ピコリモート無線ユニットｐＲＲＵによって測定された周波数干渉情報に基づいて、第１のセカンダリセルの周波数情報を生成するようにさらに構成され、周波数情報は、第１のアンライセンスキャリアに対応し、且つ、第１のセカンダリセルのためにコンバージェンスノードによって選択される第１の周波数を含む、処理モジュールと、ベースバンドユニットＢＢＵに第１のセカンダリセルのセル情報を送信するように構成される送信モジュールであって、セル情報は、第１のセカンダリセルの周波数情報を含み、ＢＢＵは、ライセンスキャリアを用いるターゲットプライマリセルに対応する、送信モジュールとを含む、コンバージェンスノードを提供する。本出願の本実施形態において、アンライセンスキャリアを用いるセカンダリセルがコンバージェンスノードで展開され、コンバージェンスノードがセカンダリセルの周波数を均一に計画し得、その結果、瞬間の動作帯域幅でｐＲＲＵによって実行される制約が満たされ得る。本出願の本実施形態において、アンライセンスキャリアの展開位置がコンバージェンスノードに配置され、その結果、アンライセンスキャリアを用いるセカンダリセルが、オペレータ間の共通の設定及び共有を実装すべく、公共のリソースとして用いられ得、それにより、アンライセンスキャリアのスペクトル利用を改善する。
【００１８】
第３の態様の可能な設計において、処理モジュールは、具体的には、ｐＲＲＵによって測定された周波数干渉情報と、ｐＲＲＵ間のトポロジー関係と、ｐＲＲＵとセルとの間のマッピング関係とに基づいて、第１のセカンダリセルの周波数情報を生成するように構成され、セルは、第１のセカンダリセル及びターゲットプライマリセルを含む。コンバージェンスノードは、ｐＲＲＵによって測定された周波数干渉情報と、ｐＲＲＵ間のトポロジー関係と、ｐＲＲＵとセルとの間のマッピング関係とに基づいて、第１のセカンダリセルに対する最適な周波数を第１の周波数としてさらに選択し得る。ここで、最適な周波数は、その干渉値及びターゲットプライマリセルのカバレッジエリアにおける周波数の数が要件を満たす周波数であり得る。
【００１９】
第３の態様の可能な設計において、コンバージェンスノードは、受信モジュールをさらに含み、受信モジュールは、Ｍ個のｐＲＲＵによってそれぞれレポートされた周波数測定結果を受信するように構成され、周波数測定結果は、各ｐＲＲＵがＮ個の周波数に対して干渉測定を実行した後に生成された情報であり、Ｍ及びＮは、正の整数であり、処理モジュールは、具体的には、周波数測定結果と、トポロジー関係と、マッピング関係とに基づいて、その干渉値が干渉閾値より小さい周波数を、第１の周波数として選択することであって、干渉閾値は、Ｎ個の周波数の中で最も小さい干渉値を用いることによって決定される、選択することと、選択された第１の周波数に基づいて、第１のセカンダリセルの周波数情報を生成することとを行うように構成される。コンバージェンスノードは、ｐＲＲＵとセルとの間のマッピング関係を用いることによって、第１のアンライセンスキャリアに対応するｐＲＲＵを決定し得る。コンバージェンスノードは、ｐＲＲＵ間のトポロジー関係に基づいて、且つ、Ｎ個の周波数の周波数干渉情報を参照して、その干渉値が干渉閾値より小さい周波数を、第１の周波数として選択し、異なるｐＲＲＵ間の干渉を削減し得る。
【００２０】
第３の態様の可能な設計において、処理モジュールは、具体的には、Ｎ個の周波数から、その干渉値が干渉閾値より小さく、且つ、そのターゲットプライマリセルにおけるアンライセンスキャリアの周波数の数が周波数の数の閾値より少ない周波数を、第１の周波数として選択するように構成される。第１のセカンダリセルに対する周波数を選択するとき、コンバージェンスノードは、Ｎ個の周波数から第１のセカンダリセルに対する第１の周波数を選択するための選択条件として、干渉閾値と周波数の数の閾値との両方を考慮し得る。例えば、選択条件は、ｐＲＲＵ間のアンライセンスキャリアの干渉が最低であり、且つ、同じターゲットプライマリセルのカバレッジエリアにおけるアンライセンスキャリアの周波数の数が最低であることを満たし得る。このように、異なるｐＲＲＵ間の干渉が削減され得る。
【００２１】
第３の態様の可能な設計において、処理モジュールは、具体的には、セカンダリセルの領域情報を取得し、セカンダリセルの領域情報に基づいて、第１のアンライセンスキャリアを用いる第１のセカンダリセルを作成するように構成される。コンバージェンスノードは、セカンダリセルの領域情報に基づいて、領域内のセカンダリセルによって用いられることが許可された第１のアンライセンスキャリアを自動的に生成し得、セカンダリセルに関連する全ての公共の設定を自動的に設定し得る。さらに、アンライセンスキャリアの共存の解決手段は、カスタマイズされた設定及び保守なしで、コンバージェンスノードを用いることによって、完了し得る。
【００２２】
第３の態様の可能な設計において、送信モジュールがベースバンドユニットＢＢＵに第１のセカンダリセルのセル情報を送信する前に、処理モジュールは、同じキャリアを用いることにより共有を実行するという原理に基づいて、第１のセカンダリセルと重複したカバレッジエリアを有するプライマリセルを、ターゲットプライマリセルとして決定し、ターゲットプライマリセルに基づいて、ＢＢＵを決定するようにさらに構成される。コンバージェンスノードは、同じキャリアを用いることによって、共有を実行する方式で、ターゲットプライマリセルを決定し得る。例えば、第１のセカンダリセルと重複したカバレッジエリアを有するプライマリセルはターゲットプライマリセルであり、ターゲットプライマリセルに対応するＢＢＵはコンバージェンスノードによって送信された周波数情報を受信するオブジェクトであり、その結果、コンバージェンスノードは、決定されたＢＢＵに基づいて、決定されたＢＢＵに第１のセカンダリセルのセル情報を送信し得る。
【００２３】
第３の態様の可能な設計において、送信モジュールがベースバンドユニットＢＢＵに第１のセカンダリセルのセル情報を送信する前に、処理モジュールは、異なるキャリアを用いることにより共有を実行するという原理によって必要とされるアンライセンスキャリア割り当て割合に基づいて、第１のアンライセンスキャリアが割り当てられるＢＢＵセットを決定し、第１のアンライセンスキャリアが割り当てられるＢＢＵセットに対応する複数のプライマリセルから、第１のセカンダリセルと重複したカバレッジエリアを有するプライマリセルを、ターゲットプライマリセルとして決定し、ターゲットプライマリセルに基づいて、ＢＢＵを決定するようにさらに構成される。コンバージェンスノードは、異なるキャリアを用いることによって共有を実行する方式で、ターゲットプライマリセルをさらに決定し得る。例えば、コンバージェンスノードは、オペレータ間のキャリア割り当て割合に基づいて、第１のセカンダリセルが割り当てられるオペレータを決定する。オペレータは、ＢＢＵセットを用い得る。その後、第１のセカンダリセルと重複したカバレッジエリアを有し、且つ、ＢＢＵセットに対応する複数のプライマリセルから選択されるプライマリセルはターゲットプライマリセルであり、ターゲットプライマリセルに対応するＢＢＵはコンバージェンスノードによって送信された周波数情報を受信するオブジェクトであり、その結果、コンバージェンスノードは、決定されたＢＢＵに基づいて、決定されたＢＢＵに第１のセカンダリセルのセル情報を送信し得る。
【００２４】
本願の第３の態様において、コンバージェンスノードの構成モジュールは、前述の第１の態様及び様々な可能な実装で説明された段階をさらに実行し得る。詳細については、第１の態様及び様々な可能な実装における前述の説明を参照する。
【００２５】
第４の態様によれば、本願の一実施形態は、ベースバンドユニットであって、当該ベースバンドユニットは、ライセンスキャリアを用いるターゲットプライマリセルに対応し、当該ベースバンドユニットは、第１のセカンダリセルの、コンバージェンスノードによって送信されるセル情報を受信するように構成される受信モジュールであって、セル情報は、第１のアンライセンスキャリアに対応し、且つ、コンバージェンスノードによって選択される第１の周波数を含む、受信モジュールと、第１のセカンダリセルのセル情報に基づいて、第１のアンライセンスキャリアを用いる第１のセカンダリセルを設定するように構成される処理モジュールとを含む、ベースバンドユニットを提供する。本出願の本実施形態において、ベースバンドユニットは、コンバージェンスノードから、アンライセンスキャリアに対応する周波数を決定し得、その結果、セカンダリセルが周波数で設定され得る。ベースバンドユニットは設定されたセカンダリセルを用いることによってデータを送信し得、それにより、アンライセンスキャリアのスペクトル利用を実装する。
【００２６】
第４の態様の可能な設計において、ベースバンドユニットは、送信モジュールをさらに含み、送信モジュールは、端末に測定設定情報を送信するように構成され、測定設定情報は、測定する必要がある第１の周波数を含み、受信モジュールは、測定設定情報に基づいて端末によりレポートされた測定レポートを受信するように構成され、処理モジュールは、具体的には、端末によりレポートされた測定レポートに基づいて、第１の周波数でセカンダリセルを設定するように構成される。ＢＢＵは端末に測定設定情報を配信し得、その結果、端末は、ＢＢＵによって示される第１の周波数に基づいて、測定を実行し得る。端末はＢＢＵに測定レポートをレポートし、ＢＢＵは端末によってレポートされた測定レポートに基づいて第１の周波数で第１のセカンダリセルを設定し、測定レポートに基づいてセカンダリセルの正確な設定を実装し得る。
【００２７】
第４の態様の可能な設計において、処理モジュールは、具体的には、第１のセカンダリセルのセル情報に基づいて、第１の周波数の数がＳ個であることを決定することであって、Ｓは２より大きい又はこれに等しい正の整数である、決定することと、Ｓ個の第１の周波数によって個別に所有されるセカンダリセルの数に基づいて、Ｓ個の第１の周波数からＴ個の第１の周波数を決定することであって、ＴはＳより小さい又はこれに等しい、決定することとを行うように構成される。送信モジュールは、具体的には、測定する必要があるＴ個の第１の周波数の測定設定情報を、端末に送信するように構成される。端末は、Ｔ個の第１の周波数に対する測定を実行し得る。ＢＢＵはＳ個の第１の周波数を選択し、ＢＢＵは端末がＴ個の第１の周波数を測定することのみを必要とする。ＴがＳより小さいとき、本出願の本実施形態は、端末が測定する周波数の数を削減し、測定効率を改善する。
【００２８】
本願の第４の態様において、ベースバンドユニットの構成モジュールは、前述の第２の態様及び様々な可能な実装で説明された段階をさらに実行し得る。詳細については、第２の態様及び様々な可能な実装における前述の説明を参照する。
【００２９】
第５の態様によれば、本願の一実施形態は、コンバージェンスノードを提供する。ここで、コンバージェンスノードは、プロセッサとメモリとを含み、メモリは、命令を格納するように構成され、プロセッサは、メモリ内の命令を実行するように構成され、その結果、通信装置は、前述の第１の態様における可能な実装のいずれか１つに係る方法を実行する。
【００３０】
第６の態様によれば、本願の一実施形態は、ベースバンドユニットを提供する。ここで、ベースバンドユニットは、プロセッサとメモリとを含み、メモリは、命令を格納するように構成され、プロセッサは、メモリ内の命令を実行するように構成され、その結果、通信装置は、前述の第２の態様における可能な実装のいずれか１つに係る方法を実行する。
【００３１】
第７の態様によれば、本願は、チップシステムを提供する。ここで、チップシステムは、前述の態様における機能、例えば、前述の方法におけるデータ及び／又は情報を送信又は処理する機能、を実装する際にコンバージェンスノード又はベースバンドユニットをサポートするように構成されるプロセッサを含む。可能な設計において、チップシステムは、メモリをさらに含み、メモリは、ネットワークデバイス又は端末デバイスに必要なプログラム命令及びデータを格納するように構成される。チップシステムは、チップを含み得、又はチップ及び他のディスクリートデバイスを含み得る。
【００３２】
第８の態様によれば、本願は、コンピュータ可読記憶媒体を提供する。コンピュータ可読記憶媒体は、命令を格納し、命令がコンピュータ上で実行されると、コンピュータは、前述の態様に係る方法を実行することが可能である。
【００３３】
第９の態様によれば、本願は、命令を含み、命令がコンピュータ上で実行されると、コンピュータは、前述の態様に係る方法を実行することが可能であるコンピュータプログラム製品を提供する。
【００３４】
第１０の態様によれば、本願は、コンバージェンスノードと、ベースバンドユニットとを含み、コンバージェンスノードとベースバンドユニットとは、互いに通信するアンライセンスキャリア処理システムを提供する。ここで、コンバージェンスノードは、前述の第３の態様における可能な実装のいずれか１つに係るコンバージェンスノードであり、ベースバンドユニットは、前述の第４の態様における可能な実装のいずれか１つに係るベースバンドユニットである。
【図面の簡単な説明】
【００３５】
【図１】本願の一実施形態に係るアンライセンスキャリア処理システムの組織構成の概略図である。
【００３６】
【図２】本願の一実施形態に係るアンライセンスキャリア処理システムのシステムアーキテクチャ展開の概略図である。
【００３７】
【図３】本願の一実施形態に係るコンバージェンスノードとＢＢＵとの間の相互作用の概略フローチャートである。
【００３８】
【図４】本願の一実施形態に係るアンライセンスキャリア処理方法の概略ブロックフローチャートである。
【００３９】
【図５】本願の一実施形態に係る他のアンライセンスキャリア処理方法の概略ブロックフローチャートである。
【００４０】
【図６ａ】本願の一実施形態に係るコンバージェンスノードの組織構成の概略図である。
【００４１】
【図６ｂ】本願の一実施形態に係る他のコンバージェンスノードの組織構成の概略図である。
【００４２】
【図７ａ】本願の一実施形態に係るベースバンドユニットの組織構成の概略図である。
【００４３】
【図７ｂ】本願の一実施形態に係る他のベースバンドユニットの組織構成の概略図である。
【００４４】
【図８】本願の一実施形態に係る他おコンバージェンスノードの組織構成の概略図である。
【００４５】
【図９】本願の一実施形態に係る他おベースバンドユニットの組織構成の概略図である。
【発明を実施するための形態】
【００４６】
本願の実施形態は、アンライセンスキャリアのマルチオペレータに共通の設定及び共有を実装し、アンライセンスキャリアのスペクトル利用を改善するアンライセンスキャリア処理方法、装置、及びシステムを提供する。
【００４７】
以下では、添付図面を参照して本願の実施形態を説明する。
【００４８】
本願の明細書、特許請求の範囲及び添付図面において、「第１の」及び「第２の」等の用語は、同様のオブジェクトを区別することが意図されるが、必ずしも具体的な順序又はシーケンスを示さない。そのような方法で用いられる用語が適切な状況で相互交換可能であり、これは、単に、同じ属性を有するオブジェクトが本願の実施形態で説明されるときに用いられる識別方式に過ぎないことが理解されるべきである。さらに、用語「含む（ｉｎｃｌｕｄｅ）」、「含む（ｃｏｎｔａｉｎ）」、及び任意の他の派生語は、非限定的な包含をカバーすることを意味し、その結果、一連のユニットを含むプロセス、方法、システム、製品、又はデバイスは、それらのユニットに必ずしも限定されるわけでなく、明示的に列挙されていない又はそのようなプロセス、方法、システム、製品、又はデバイスに固有でない他のユニットを含んでよい。
【００４９】
本願の実施形態で提供されるアンライセンスキャリア処理システムは、単一のオペレータ及び複数のオペレータが維持管理を均一に実行するシナリオに適用可能である。アンライセンスキャリア処理システムは、異なるオペレータの独立した無線周波数（Ｒａｄｉｏ  Ｆｒｅｑｕｅｎｃｙ、ＲＦ）信号源入力をサポートし得、未来志向で大容量の、第５世代（５ｔｈ  Ｇｅｎｅｒａｔｉｏｎ、）モバイル通信技術のシナリオであるデジタル信号源入力をサポートし得る。図１に示されるように、本願の一実施形態で提供されるアンライセンスキャリア処理システムは、コンバージェンスノード及びＢＢＵを含み得る。コンバージェンスノードは、ホストオペレータのＢＢＵを用いることによって実装されてよく、又は、アンライセンスキャリアの独立した管理ユニットとして実装されてよい。アンライセンスキャリア処理システムに配置された複数のＢＢＵ、例えば、ＢＢＵ１及びＢＢＵ２、が存在してよい。各ＢＢＵはオペレータの基地局ネットワーク管理サブシステムに個別に接続され、それにより、統合アクセスシステムでの分離を実装する。
【００５０】
図２を参照すると、本願の一実施形態で提供されるアンライセンスキャリア処理システムは、コンバージェンスノード及び３個のＢＢＵを含み得る。３個のＢＢＵは、それぞれ、ＢＢＵ１、ＢＢＵ２、及びＢＢＵ３である。コンバージェンスノードが離れた建物に配置されてよく、３個のＢＢＵが近端の中央機器室に配置される。ＢＢＵ１はオペレータＡの基地局ネットワーク管理サブシステム（略してＢＴＳ（ＵＬ））に接続され、ＢＢＵ２はオペレータＢの基地局ネットワーク管理サブシステムに接続され、ＢＢＵ３はオペレータＣの基地局ネットワーク管理サブシステムに接続される。コンバージェンスノードはファイバチャネルを用いることによって各ＢＢＵに接続されてよく、コンバージェンスノードはリモート無線ユニットハブ（ＲＨＵＢとも称される）を用いることによってピコリモート無線ユニット（ｐｉｃｏ  Ｒｅｍｏｔｅ  Ｒａｄｉｏ  Ｕｎｉｔ、ｐＲＲＵ）にさらに接続されてよい。例えば、ファイバチャネルは、具体的には、共通の公共無線インタフェース（Ｃｏｍｍｏｎ  Ｐｕｂｌｉｃ  Ｒａｄｉｏ  Ｉｎｔｅｒｆａｃｅ、ＣＰＲＩ）チャネル及び媒体アクセス制御（Ｍｅｄｉａ  Ａｃｃｅｓｓ  Ｃｏｎｔｒｏｌ、ＭＡＣ）チャネルを含み得る。ＲＨＵＢはＣＰＲＩチャネルの電気的インタフェース（ＣＰＲＩ−Ｅとも称される）を用いることによってｐＲＲＵに接続され、又はＲＨＵＢはＭＡＣチャネルの電気的インタフェースを用いることによってｐＲＲＵにさらに接続され得る。コンバージェンスノードは、動作管理（Ｏｐｅｒａｔｉｏｎ  Ｍａｎａｇｅｍｅｎｔ、ＯＭ）チャネルを用いることによって、ホストオペレータの基地局ネットワーク管理サブシステム（略してＢＴＳ（Ｒ））に接続され得る。コンバージェンスノードは、無線周波数ボード、インタフェースボード、及びメインコントロールボードを含み得る。ＢＢＵは、ベースバンドボード及びメインコントロールボードを含み得る。コンバージェンスノードのインタフェースボードは、ＢＢＵのベースバンドボードに接続され得る。
【００５１】
アンライセンスキャリア処理システムの前述のアーキテクチャに基づいて、システムに含まれるコンバージェンスノード及びＢＢＵが、一例を用いることによって以下で説明される。図３を参照すると、コンバージェンスノードとＢＢＵとの間の相互作用の手順は、以下のプロセスを含み得る。
【００５２】
Ｓ１：コンバージェンスノードは、第１のアンライセンスキャリアを用いる第１のセカンダリセルを展開する。
【００５３】
本出願の本実施形態において、コンバージェンスノードは、最初に、アンライセンスキャリアを用いるセカンダリセルを展開する。例えば、アンライセンスキャリアが「第１のアンライセンスキャリア（ｆｉｒｓｔ  ｕｎｌｉｃｅｎｓｅｄ  ｃａｒｒｉｅｒ）」として定義され、コンバージェンスノードによって展開されるセカンダリセルが「第１のセカンダリセル（ｆｉｒｓｔ  ｓｅｃｏｎｄａｒｙ  ｃｅｌｌ）」として定義され、コンバージェンスノードはコンバージェンスノードの片側でセカンダリセルを展開し、セカンダリセルのコンバージェンスノードによって実行される管理を促進する。
【００５４】
Ｓ２：コンバージェンスノードは、ｐＲＲＵによって測定された周波数干渉情報に基づいて、第１のセカンダリセルの周波数情報を生成する。
【００５５】
本出願の本実施形態において、コンバージェンスノードは、ＲＨＵＢを用いることによって、ｐＲＲＵと通信し得る。１又は複数のｐＲＲＵが存在してよい。各周波数の干渉に対して測定を実行した後、ｐＲＲＵは、コンバージェンスノードに周波数干渉情報を送信する。コンバージェンスノードは周波数干渉情報に基づいて第１のセカンダリセルに対する周波数を選択し得、選択された周波数が「第１の周波数（ｆｉｒｓｔ  ｆｒｅｑｕｅｎｃｙ）」として定義される。コンバージェンスノードは第１のセカンダリセルの周波数情報を生成し得、周波数情報は第１のアンライセンスキャリアに対応し、且つ、第１のセカンダリセルのためにコンバージェンスノードによって選択される第１の周波数を含む。
【００５６】
Ｓ３：コンバージェンスノードは、ＢＢＵに第１のセカンダリセルのセル情報を送信する。
【００５７】
コンバージェンスノードは、ＣＰＲＩチャネルを用いることによって、ＢＢＵと通信し得る。コンバージェンスノードは、ＢＢＵに第１のセカンダリセルのセル情報を送信し、セル情報は、前述の生成された第１のセカンダリセルの周波数情報を含み得る。ＢＢＵは、ライセンスキャリアを用いるターゲットプライマリセルに対応する。
【００５８】
Ｓ４：ＢＢＵは、第１のセカンダリセルの、コンバージェンスノードによって送信されるセル情報を受信する。セル情報は、第１のセカンダリセルの周波数情報を含む。
【００５９】
周波数情報は、第１のアンライセンスキャリアに対応し、且つ、コンバージェンスノードによって選択される第１の周波数を含む。ＢＢＵは、周波数情報から、コンバージェンスノードによって選択された第１の周波数を決定する。
【００６０】
Ｓ５：ＢＢＵは、第１のセカンダリセルのセル情報に基づいて、第１のアンライセンスキャリアを用いる第１のセカンダリセルを設定し得る。
【００６１】
ＢＢＵはセル情報に基づいて第１のセカンダリセルを設定し得、ＢＢＵは設定された第１のセカンダリセルを用いることによってデータを送信し、第１のアンライセンスキャリアのスペクトル利用を実装する。
【００６２】
本出願の本実施形態において、アンライセンスキャリアを用いるセカンダリセルがコンバージェンスノードで展開され、コンバージェンスノードはセカンダリセルの周波数を均一に計画し得、その結果、瞬間の動作帯域幅でｐＲＲＵによって実行される制約が満たされ得る。本出願の本実施形態において、アンライセンスキャリアの展開位置がコンバージェンスノードに配置され、その結果、アンライセンスキャリアを用いるセカンダリセルが、オペレータ間の共通の設定及び共有を実装すべく、共通のリソースとして用いられ得、それにより、アンライセンスキャリアのスペクトル利用を改善する。
【００６３】
本出願の本実施形態において、アンライセンスキャリア処理方法が提供されることが留意されるべきである。コンバージェンスノードがセカンダリセルを作成して周波数を割り当てるのに用いられ、ＢＢＵはコンバージェンスノードによって送信されたセカンダリセル情報に基づいてセカンダリセルを設定し、その結果、オペレータによって用いられるアンライセンス周波数間の相互の制約が回避され得る。アンライセンスキャリアの周波数が共有され、干渉状態が動的に変更するので、アンライセンスキャリアを用いるセカンダリセルがコンバージェンスノードで展開され、オペレータが異なるキャリアを用いることによって共有を実行するシナリオにおいて、異なる周波数が連続した瞬間の帯域幅（Ｉｎｓｔａｎｔａｎｅｏｕｓ  Ｂａｎｄｗｉｄｔｈ、ＩＢＷ）の範囲で異なるオペレータによって選択されることを保証する。本出願の本実施形態において、ｐＲＲＵ間の周波数間展開の困難性を回避して干渉を削減すべく、各オペレータは、最も高いキャリアアグリゲーション仕様を用いて、ｐＲＲＵにより提供された周波数干渉情報を用いることによってアンライセンスキャリアに対する周波数を選択し得る。
【００６４】
以下では、コンバージェンスノード及びＢＢＵの視点から、本願の実施形態で提供されるアンライセンスキャリア処理方法をそれぞれ説明する。最初に、コンバージェンスノードの側からの説明のために、一例が用いられる。図４を参照すると、本願の一実施形態で提供されるアンライセンスキャリア処理方法は、以下の段階を含み得る。
【００６５】
４０１：コンバージェンスノードは、第１のアンライセンスキャリアを用いる第１のセカンダリセルを展開する。
【００６６】
本出願の本実施形態において、コンバージェンスノードは、最初に、アンライセンスキャリアを用いるセカンダリセルを展開する。例えば、コンバージェンスノードは、第１のアンライセンスキャリアを用いる第１のセカンダリセル及び第２のアンライセンスキャリアを用いる第２のセカンダリセルを展開する。第１のアンライセンスキャリア及び第２のアンライセンスキャリアが異なるアンライセンスキャリアを示すのに用いられ、コンバージェンスノードは異なるアンライセンスキャリアを用いる複数のセカンダリセルを作成し得、コンバージェンスノードは複数の方式でセカンダリセルを作成し得る。以下では、説明のために一例を提供する。
【００６７】
本願のいくつかの実施形態において、コンバージェンスノードが第１のアンライセンスキャリアを用いる第１のセカンダリセルを展開する段階４０１は、コンバージェンスノードが、セカンダリセルの領域情報を取得する段階と、コンバージェンスノードが、セカンダリセルの領域情報に基づいて、第１のアンライセンスキャリアを用いる第１のセカンダリセルを作成する段階とを含む。
【００６８】
コンバージェンスノードは、最初に、セカンダリセルの領域情報を決定し、例えば、セカンダリセルの単純な領域情報のみを設定する必要がある。セカンダリセルの領域情報は、具体的には、セルの国番号情報であり得る。コンバージェンスノードは、国番号情報に基づいて、領域内のセカンダリセルによって用いられることが許可された第１のアンライセンスキャリアを自動的に生成し得、セカンダリセルに関連する全ての公共の設定を自動的に設定し得る。さらに、アンライセンスキャリアの共存の解決手段は、カスタマイズされた設定及び保守なしで、コンバージェンスノードを用いることによって、完了し得る。
【００６９】
４０２：コンバージェンスノードは、ピコリモート無線ユニットｐＲＲＵによって測定された周波数干渉情報に基づいて、第１のセカンダリセルの周波数情報を生成する。周波数情報は、第１のアンライセンスキャリアに対応し、且つ、第１のセカンダリセルのためにコンバージェンスノードによって選択される第１の周波数を含む。
【００７０】
本出願の本実施形態において、コンバージェンスノードは、ＲＨＵＢを用いることによって、ｐＲＲＵと通信し得る。１又は複数のｐＲＲＵが存在してよい。各周波数の干渉に対して測定を実行した後、ｐＲＲＵは、コンバージェンスノードに周波数干渉情報を送信する。コンバージェンスノードは周波数干渉情報に基づいて第１のセカンダリセルに対する第１の周波数を選択し得、コンバージェンスノードは第１のセカンダリセルの周波数情報を生成し得る。第２のセカンダリセルを展開するとき、コンバージェンスノードが第２のセカンダリセルに対する第２の周波数をさらに選択し得ることに限定されない。
【００７１】
本願のいくつかの実施形態において、コンバージェンスノードは、ｐＲＲＵによって測定された複数の周波数の干渉状態に基づいて、第１のセカンダリセルの周波数を選択し得る。例えば、コンバージェンスノードは、最も小さい干渉を有する周波数を第１の周波数として選択し得る。本願のいくつかの実施形態において、コンバージェンスノードがｐＲＲＵの周波数干渉情報に基づいて第１のセカンダリセルの周波数情報を生成する段階４０２は、コンバージェンスノードが、ｐＲＲＵによって測定された周波数干渉情報と、ｐＲＲＵ間のトポロジー関係と、ｐＲＲＵとセルとの間のマッピング関係とに基づいて、第１のセカンダリセルの周波数情報を生成することを含む。ここで、セルは、第１のセカンダリセル及びターゲットプライマリセルを含む。
【００７２】
ｐＲＲＵ間のトポロジー関係は、第１のアンライセンスキャリアが配置される複数のｐＲＲＵ間のトポロジー関係である。ｐＲＲＵとセルとの間のマッピング関係は、各ｐＲＲＵがマッピングされるセカンダリセル及びプライマリセルである。セルは、第１のセカンダリセル及びターゲットプライマリセルを含む。コンバージェンスノードは、ｐＲＲＵによって測定された周波数干渉情報と、ｐＲＲＵ間のトポロジー関係と、ｐＲＲＵとセルとの間のマッピング関係とに基づいて、第１のセカンダリセルに対する最適な周波数を第１の周波数としてさらに選択し得る。ここで、最適な周波数は、その干渉値及びターゲットプライマリセルのカバレッジエリアにおける周波数の数が要件を満たす周波数であり得る。
【００７３】
例えば、コンバージェンスノードが、ｐＲＲＵによって測定された周波数干渉情報と、ｐＲＲＵ間のトポロジー関係と、ｐＲＲＵとセルとの間のマッピング関係とに基づいて、第１のセカンダリセルの周波数情報を生成することは、コンバージェンスノードが、Ｍ個のｐＲＲＵによってそれぞれレポートされた周波数測定結果を受信することであって、周波数測定結果は、各ｐＲＲＵがＮ個の周波数に対して干渉測定を実行した後に生成された情報であり、Ｍ及びＮは、正の整数である、受信することと、コンバージェンスノードが、Ｎ個の周波数から、周波数測定結果と、トポロジー関係と、マッピング関係とに基づいて、その干渉値が干渉閾値より小さい周波数を、第１の周波数として選択することであって、干渉閾値は、Ｎ個の周波数の中で最も小さい干渉値を用いることによって決定される、選択することと、コンバージェンスノードが、選択された第１の周波数に基づいて、第１のセカンダリセルの周波数情報を生成することとを含む。
【００７４】
コンバージェンスノードに接続されるｐＲＲＵの数は、一例として用いられるＭである。各ｐＲＲＵは、コンバージェンスノードに周波数測定結果を個別にレポートする。各ｐＲＲＵによって測定される周波数の数は、Ｎである。Ｍ及びＮの値は限定されない。第１の周波数を選択するとき、コンバージェンスノードは、Ｎ個の周波数の中で最も小さい干渉値に基づいて、第１の周波数を選択し、例えばは、Ｎ個の周波数の中で最も小さい干渉値を有する周波数が、第１の周波数として選択され得る。コンバージェンスノードは、Ｎ個の周波数の中で最も小さい干渉値を用いることによって、干渉閾値をさらに決定し得る。例えば、Ｎ個の周波数の中で最も小さい干渉値が基礎値として用いられ、上方に固定割合でフローティングする干渉値が干渉閾値として用いられ、コンバージェンスノードが周波数測定結果と、ｐＲＲＵ間のトポロジー関係と、ｐＲＲＵとセルとの間のマッピング関係とに基づいて、Ｎ個の周波数からその干渉値が干渉閾値より小さい周波数を第１の周波数として選択する。コンバージェンスノードは、ｐＲＲＵとセルとの間のマッピング関係に基づいて、第１のアンライセンスキャリアに対応するｐＲＲＵを決定し得る。コンバージェンスノードは、ｐＲＲＵ間のトポロジー関係に基づいて、且つ、Ｎ個の周波数の周波数干渉情報を参照して、その干渉値が干渉閾値より小さい周波数を第１の周波数として選択し、異なるｐＲＲＵ間の干渉を削減し得る。
【００７５】
さらに、本願のいくつかの実施形態において、コンバージェンスノードが、Ｎ個の周波数から、周波数測定結果と、トポロジー関係と、マッピング関係とに基づいて、その干渉値が干渉閾値より小さい周波数を、第１の周波数として選択することは、コンバージェンスノードが、Ｎ個の周波数から、その干渉値が干渉閾値より小さく、且つ、そのターゲットプライマリセルにおけるアンライセンスキャリアの周波数の数が周波数の数の閾値より少ない周波数を、第１の周波数として選択することを含む。
【００７６】
第１のセカンダリセルに対する周波数を選択するとき、コンバージェンスノードは、Ｎ個の周波数から第１のセカンダリセルに対する第１の周波数を選択するための選択条件として、干渉閾値と周波数の数の閾値との両方を考慮し得る。例えば、選択条件は、ｐＲＲＵ間のアンライセンスキャリアの干渉が最低であり、且つ、同じターゲットプライマリセルのカバレッジエリアにおけるアンライセンスキャリアの周波数の数が最低であることを満たし得る。このように、異なるｐＲＲＵ間の干渉が削減され得る。
【００７７】
４０３：コンバージェンスノードは、ＢＢＵに第１のセカンダリセルのセル情報を送信する。ＢＢＵは、ライセンスキャリアを用いるターゲットプライマリセルに対応する。
【００７８】
本出願の本実施形態において、コンバージェンスノードが第１のセカンダリセルの周波数情報を生成した後、コンバージェンスノードはライセンスキャリアを用いるターゲットプライマリセルに対応するＢＢＵに第１のセカンダリセルのセル情報を送信し得る。例えば、第１のセカンダリセルのセル情報は、第１のセカンダリセルの周波数情報を含む。コンバージェンスノードによって選択された受信オブジェクトは、ライセンスキャリアを用いるターゲットプライマリセルに対応するＢＢＵである。コンバージェンスノードは、デフォルト設定に基づいて、ターゲットプライマリセルを決定し得る。コンバージェンスノードは、複数のプライマリセルからターゲットプライマリセルをさらに選択し得る。ターゲットプライマリセルが複数の実装で選択され得る。以下では、説明のために一例を提供する。
【００７９】
本願のいくつかの実施形態において、コンバージェンスノードがＢＢＵに第１のセカンダリセルのセル情報を送信する段階４０３の前に、本願の一実施形態において提供されるアンライセンスキャリア処理方法は、コンバージェンスノードが、同じキャリアを用いることにより共有を実行するという原理に基づいて、第１のセカンダリセルと重複したカバレッジエリアを有するプライマリセルを、ターゲットプライマリセルとして決定することと、コンバージェンスノードが、ターゲットプライマリセルに基づいて、ＢＢＵを決定することとを含み得る。
【００８０】
コンバージェンスノードは、同じキャリアを用いることによって共有を実行する方式で、ターゲットプライマリセルを決定し得る。例えば、第１のセカンダリセルと重複したカバレッジエリアを有するプライマリセルはターゲットプライマリセルであり、ターゲットプライマリセルに対応するＢＢＵはコンバージェンスノードによって送信された周波数情報を受信するオブジェクトであり、その結果、コンバージェンスノードは、決定されたＢＢＵに基づいて、決定されたＢＢＵに第１のセカンダリセルのセル情報を送信し得る。
【００８１】
本願のいくつかの実施形態において、コンバージェンスノードが、ＢＢＵに第１のセカンダリセルのセル情報を送信する段階４０３の前に、本願の一実施形態において提供されるアンライセンスキャリア処理方法は、コンバージェンスノードが、異なるキャリアを用いることにより共有を実行するという原理によって必要とされるアンライセンスキャリア割り当て割合に基づいて、第１のアンライセンスキャリアを用いる第１のセカンダリセルが割り当てるＢＢＵセットを決定することと、コンバージェンスノードが、第１のセカンダリセルが割り当てられるＢＢＵセットに対応する複数のプライマリセルから、第１のセカンダリセルと重複したカバレッジエリアを有するプライマリセルを、ターゲットプライマリセルとして決定することと、コンバージェンスノードが、ターゲットプライマリセルに基づいて、ＢＢＵを決定することとを含み得る。
【００８２】
コンバージェンスノードは、異なるキャリアを用いることによって共有を実行する方式で、ターゲットプライマリセルをさらに決定し得る。例えば、コンバージェンスノードは、オペレータ間のキャリア割り当て割合に基づいて、第１のセカンダリセルが割り当てられるオペレータを決定する。オペレータはＢＢＵセットを用い得る。その後、第１のセカンダリセルと重複したカバレッジエリアを有し、且つ、ＢＢＵセットに対応する複数のプライマリセルから選択されるプライマリセルはターゲットプライマリセルであり、ターゲットプライマリセルに対応するＢＢＵはコンバージェンスノードによって送信された周波数情報を受信するオブジェクトであり、その結果、コンバージェンスノードは、決定されたＢＢＵに基づいて、決定されたＢＢＵに第１のセカンダリセルのセル情報を送信し得る。
【００８３】
前述の実施形態における例示的な説明から、コンバージェンスノードは、最初に、第１のアンライセンスキャリアを用いる第１のセカンダリセルを展開し、その後、コンバージェンスノードは、ｐＲＲＵによって測定された周波数干渉情報に基づいて、第１のセカンダリセルの周波数情報を生成し、周波数情報は、第１のアンライセンスキャリアに対応し、且つ、第１のセカンダリセルのためにコンバージェンスノードによって選択される第１の周波数を含み、最終的に、コンバージェンスノードは、ＢＢＵに第１のセカンダリセルのセル情報を送信し、ＢＢＵは、ライセンスキャリアを用いるターゲットプライマリセルに対応することが分かり得る。本出願の本実施形態において、アンライセンスキャリアを用いるセカンダリセルがコンバージェンスノードで展開され、コンバージェンスノードがセカンダリセルの周波数を均一に計画し得、その結果、瞬間の動作帯域幅でｐＲＲＵによって実行される制約が満たされ得る。本出願の本実施形態において、アンライセンスキャリアの展開位置がコンバージェンスノードに配置され、その結果、アンライセンスキャリアを用いるセカンダリセルが、オペレータ間の共通の設定及び共有を実装すべく、公共のリソースとして用いられ得、それにより、アンライセンスキャリアのスペクトル利用を改善する。
【００８４】
前述の実施形態において、本願の実施形態で提供されたアンライセンスキャリア処理方法は、コンバージェンスノードの側から説明される。以下では、ＢＢＵの側から本願の実施形態で提供されるアンライセンスキャリア処理方法を説明する。図５を参照すると、本願の一実施形態で提供されるアンライセンスキャリア処理方法は、主に以下の段階を含む。
【００８５】
５０１：ＢＢＵは、コンバージェンスノードによって送信される第１のセカンダリセルのセル情報を受信する。セル情報は、第１のアンライセンスキャリアに対応し、且つ、コンバージェンスノードによって選択される第１の周波数を含む。
【００８６】
本出願の本実施形態において、ＢＢＵは、ライセンスキャリアを用いるターゲットプライマリセルに対応し、ＢＢＵはコンバージェンスノードによって決定される受信オブジェクトである。ＢＢＵが第１のセカンダリセルのセル情報を受信した後、ＢＢＵはコンバージェンスノードによって送信されたセル情報を解析し、ＢＢＵは第１のセカンダリセルのためにコンバージェンスノードによって選択された周波数が第１の周波数であることを決定し得る。
【００８７】
５０２：ＢＢＵは、第１のセカンダリセルのセル情報に基づいて、第１のアンライセンスキャリアを用いる第１のセカンダリセルを設定する。
【００８８】
本出願の本実施形態において、ＢＢＵが第１のセカンダリセルのためにコンバージェンスノードによって選択された周波数が第１の周波数であることを決定し得る後、ＢＢＵは、第１の周波数で、第１のアンライセンスキャリアを用いる第１のセカンダリセルを設定し得る。第１のセカンダリセルが設定された後、ＢＢＵは第１のセカンダリセルを用いることによってデータを送信し得、第１のアンライセンスキャリアのスペクトル利用を実装する。
【００８９】
本出願の本実施形態において、アンライセンスキャリアを用いるセカンダリセルがコンバージェンスノードで展開され、コンバージェンスノードがセカンダリセルの周波数を均一に計画し得、その結果、瞬間の動作帯域幅でｐＲＲＵによって実行される制約が満たされ得る。本出願の本実施形態において、アンライセンスキャリアの展開位置がコンバージェンスノードに配置され、その結果、アンライセンスキャリアを用いるセカンダリセルが、オペレータ間の共通の設定及び共有を実装すべく、公共のリソースとして用いられ得、それにより、アンライセンスキャリアのスペクトル利用を改善する。
【００９０】
本出願の前述の実施形態において、ＢＢＵがブラインド設定方式で第１のセカンダリセルを設定し得ることが留意されるべきである。具体的には、ＢＢＵはセルのデフォルト設定パラメータを用いることによって第１のセカンダリセルを追加し、その結果、セルの設定効率が改善され得る。本願のいくつかの実施形態において、ＢＢＵがアンライセンスキャリアの周波数情報に基づいて第１のアンライセンスキャリアを用いる第１のセカンダリセルを設定する段階５０２は、ＢＢＵが、端末に測定設定情報を送信することであって、測定設定情報は、測定する必要がある第１の周波数を含む、送信することと、ＢＢＵが、測定設定情報に基づいて端末によりレポートされた測定レポートを受信することと、ＢＢＵが、端末によりレポートされた測定レポートに基づいて、第１の周波数でセカンダリセルを設定することとを含む。
【００９１】
ＢＢＵは端末に測定設定情報を配信し得、その結果、端末は、ＢＢＵによって示される第１の周波数に基づいて、測定を実行し得る。端末はＢＢＵに測定レポートをレポートし、ＢＢＵは端末によってレポートされた測定レポートに基づいて第１の周波数で第１のセカンダリセルを設定し、測定レポートに基づいてセカンダリセルを正確な設定を実装し得る。周波数で端末によって実行される測定のプロセスは、再び詳細に説明されない。
【００９２】
さらに、本願のいくつかの実施形態において、ＢＢＵが、端末に測定設定情報を送信することは、ＢＢＵが、第１のセカンダリセルのセル情報に基づいて、第１の周波数の数がＳ個であることを決定することであって、Ｓは２より大きい又はこれに等しい正の整数である、決定することと、ＢＢＵが、Ｓ個の第１の周波数によって個別に所有されるセカンダリセルの数に基づいて、Ｓ個の第１の周波数からＴ個の第１の周波数を決定することであって、ＴはＳより小さい又はこれに等しい、決定することと、ＢＢＵが、測定する必要があるＴ個の第１の周波数の測定設定情報を、端末に送信することとを含む。
【００９３】
第１のセカンダリセルのためにコンバージェンスノードによって選択された複数の第１の周波数が存在する。例えば、Ｓ個の第１の周波数が存在するとき、ＢＢＵは、Ｓ個の第１の周波数によって個別に所有されるセカンダリセルの数に基づいて、Ｓ個の第１の周波数からＴ個の第１の周波数を決定し得、ＴはＳより小さい又はこれに等しい。例えば、ＢＢＵは、Ｓ個の第１の周波数によって個別に所有されるセカンダリセルの数に基づいて、最初に、セカンダリセルの最大数を有するＴ個の第１の周波数を決定する。ＢＢＵは、端末に測定する必要があるＴ個の第１の周波数の測定設定情報を送信し、その結果、端末は、Ｔ個の第１の周波数に対して測定を実行し得る。ＢＢＵはＳ個の第１の周波数を選択し、ＢＢＵは端末がＴ個の第１の周波数を測定することのみを必要とする。ＴがＳより小さいとき、本出願の本実施形態は、端末が測定する周波数の数を削減し、測定効率を改善する。
【００９４】
前述の実施形態における例示的な説明から、ベースバンドユニットがライセンスキャリアを用いるターゲットプライマリセルに対応することが分かり得る。ベースバンドユニットは、最初に、第１のセカンダリセルの、コンバージェンスノードによって送信されるセル情報を受信する。セル情報は、第１のセカンダリセルの周波数情報を含む。周波数情報は、第１のアンライセンスキャリアに対応し、且つ、コンバージェンスノードによって選択される第１の周波数を含む。ベースバンドユニットは、第１のセカンダリセルのセル情報に基づいて、第１のアンライセンスキャリアを用いる第１のセカンダリセルを設定し得る。本出願の本実施形態において、ベースバンドユニットは、コンバージェンスノードから、アンライセンスキャリアに対応する周波数を決定し得、その結果、セカンダリセルが周波数で設定され得る。ベースバンドユニットは設定されたセカンダリセルを用いることによってデータを送信し得、それにより、アンライセンスキャリアのスペクトル利用を実装する。
【００９５】
本願の実施形態における前述の解決手段をよりよく理解して実装すべく、以下では詳細な説明の一例として対応するアプリケーションシナリオを用いる。
【００９６】
アンライセンスキャリア処理システムの前述のアーキテクチャに基づいて、実際のシナリオにおける共通の設定のプロセス及びアンライセンスキャリアの共有が一例を用いることによって以下で説明される。本出願の本実施形態において、コンバージェンスノードは、ＲＨＵＢ及びｐＲＲＵの物理デバイスを管理すること、仮想化を実行すること、並びにｐＲＲＵ及びＲＨＵＢのリソースオブジェクトにスライシングすることを担当し得る。主なリソースは、キャリア（規格、周波数帯、送信電力、及び帯域幅）リソース、ＣＰＲＩ帯域幅リソース、及び組み合わされたセルの数等のリソースを含む。リソースは、各オペレータの実際の状況に基づいて分割される。キャリアリソースを一例として用いると、オペレータは、割り当てられたキャリアリソースをオペレータ側のＢＢＵにバインドし、例えば、オペレータＡに割り当てられたアンライセンスキャリアＦ１及びオペレータＢに割り当てられたアンライセンスキャリアＦ２が、対応するＢＢＵ及び対応するサービスをアクティブ化するのに用いられる。アンライセンスキャリアのリソースが、公共のリソースとして、仮想化及びスライシングによって各ＢＢＵに割り当てられ、このように、各オペレータデバイスがアンライセンスキャリアのリソースを独立して呼び出し得る。
【００９７】
本出願の本実施形態において、コンバージェンスノードは、複数のオペレータの間でアンライセンスキャリアの周波数の共有を実装し得る。コンバージェンスノードよって実行される統一された計画を通じて、異なるオペレータが異なる周波数を選択し得る。ライセンスアシストアクセス（ＬＡＡ）シナリオにおいて、マルチオペレータに共通の設定及び共有のネットワーキング方式は、説明のために一例として用いられる。ＬＡＡセルがコンバージェンスノードで展開され、ＲＨＵＢ及びｐＲＲＵ等の公共のリソースとしての機能を果たし、ホストオペレータによって管理され、複数のオペレータの間で共有される。コンバージェンスノードは、必要最低限度の方式でＬＡＡセカンダリセルＳＣｅｌｌを設定し、セカンダリセルを構築することを完了するのに単純な設定をサポートしさえすればよい。ＬＡＡの必要最低限度の維持管理の解決手段がホストオペレータによって維持される。本出願の本実施形態は、オペレータとホストオペレータのＬＡＡ  ＳＣｅｌｌとの間のＢＢＵ間の調整ベースのキャリアアグリゲーションをサポートし得る。
【００９８】
本出願の本実施形態は、２つのネットワーク要素、ＢＢＵ及びコンバージェンスノードに関連する。ＢＢＵは、アンライセンスキャリアが展開されるセカンダリセルを設定し、コンバージェンスノードからアンライセンスキャリアの周波数情報を受信し、端末に測定設定情報を送信し、端末の測定結果に基づいてセカンダリセルを設定するように構成される。コンバージェンスノードは、セカンダリセルを展開ように構成され得る。例えば、コンバージェンスノードは、アンライセンスキャリアの共存技術を用いることによってセカンダリセルを設定し、コンバージェンスノードは、ＬＡＡ  ＳＣｅｌｌの必要最低限度の維持管理方式を用いることによってセカンダリセルを管理する。
【００９９】
本出願の本実施形態において、アンライセンスキャリアを有するセルの簡略化された設定機能が実装され、アンライセンスキャリアが公共のリソースとして複数のオペレータのコンバージェンスノードに保持されて複数のオペレータ間の効率的な共有を実装する。コンバージェンスノードとＢＢＵとの間の相互作用のプロセスが一例を用いることによって以下で説明され、主に以下の段階を含む。
【０１００】
１：コンバージェンスノードは、アンライセンスキャリアを用いるセカンダリセルを展開する。
【０１０１】
コンバージェンスノードは、単純な領域情報、例えば、国番号のみを設定する必要があり、国番号情報に基づいて、セルに関連する全ての公共の設定を自動的に設定し得る。アンライセンスキャリアの共存に関連する技術が、カスタマイズされた設定及び保守なしに、内部に実装される。
【０１０２】
２：コンバージェンスノードは、ｐＲＲＵによって測定された周波数の干渉状態と、ｐＲＲＵ間のトポロジー関係と、ｐＲＲＵとセルとの間のマッピング関係とに基づいて、各ｐＲＲＵに対するセカンダリセルの周波数を選択する。
【０１０３】
例えば、コンバージェンスノードはｐＲＲＵとセルとの間のマッピング関係を取得し、表１に示されるように、セルはライセンスキャリアを用いるプライマリセル及びアンライセンスキャリアを用いるセカンダリセルを含み得る。
【表１】
2021507630.tif 000003
【０１０４】
表１内のレ点は、ｐＲＲＵが対応するセルで設定されることを示す。例えば、表１において、Ｃｅｌｌ１はライセンスキャリアを用いるセルであり、ｐＲＲＵ１及びｐＲＲＵ２の両方がＣｅｌｌ１で設定される。
【０１０５】
３：コンバージェンスノードは、アンライセンスキャリアを用いるセカンダリセルごとに周波数を自動的に選択する。例えば、アンライセンス周波数の最適な組み合わせが、ライセンスキャリアを用いるプライマリセルが配置されるｐＲＲＵと、アンライセンスキャリアを用いるセカンダリセルが配置されるｐＲＲＵとの間の位置関係と、アンライセンスキャリアを用いるセカンダリセルが配置されるｐＲＲＵ間のトポロジー関係に基づいて選択される。最適とは、ｐＲＲＵ間のアンライセンス干渉が最低であり、且つ、ライセンスキャリアを用いるプライマリセルのカバレッジエリアにおけるアンライセンス周波数の周波数の数が最も少ないことを意味する。
【０１０６】
コンバージェンスノードが周波数を決定した後、コンバージェンスノードは、以下の原理に基づいて、ライセンスキャリアを用いるプライマリセルに対応するＢＢＵにセカンダリセル情報を送信する。ライセンスキャリアを用いるプライマリセルの選択原理は、以下のことを含み得る。
【０１０７】
Ａ．同じキャリア、すなわち、アンライセンスキャリアを用いるセカンダリセルと重複したカバレッジを有するプライマリセル、を用いることによって実行される共有。
【０１０８】
前述の表１の例示的な説明表を参照すると、ライセンスキャリアを用いる送信されたターゲットプライマリセルが選択され、表２に示されるように、ライセンスキャリアを用いるターゲットプライマリセル及びアンライセンスキャリアを用いるセカンダリセルは重複したカバレッジを有する。
【表２】
2021507630.tif 000004
【０１０９】
Ｂ．異なるキャリアを用いることによって実行される共有。アンライセンスキャリアを用いるセカンダリセルと重複したカバレッジを有するプライマリセルが最初に選択され、アンライセンスキャリアに対応するオペレータがオペレータのキャリア割り当て割合、例えば、Ａ：Ｂ＝１：１、に基づいて決定され、その後、表３に示されるように、アンライセンスキャリアを用いるセカンダリセルと重複したカバレッジを有するプライマリセルが選択される。
【表３】
2021507630.tif 000005
【０１１０】
共通のカバレッジセルは、Ｃｅｌｌ１及びＣｅｌｌ２を含む。アンライセンスキャリアが属するオペレータは、オペレータのキャリア割り当て割合に基づいて決定され得る。アンライセンスキャリアがオペレータＡに属する場合、セカンダリセルＣｅｌｌ４に対応するターゲットプライマリセルがＣｅｌｌ１であることが決定され得る。
【０１１１】
４：ライセンスキャリアを用いるＢＢＵプライマリセルは、コンバージェンスノードによって送信されたセカンダリセル情報を受信し、ブラインド設定が選択されたか否かを決定する。ブラインド設定が選択された場合、ＬＡＡ  ＳＣｅｌｌが測定を実行することなく設定されてよく、ＬＡＡ  ＳＣｅｌｌがＳＣｅｌｌとして直接設定されてよい。その後、手順が終了する。ブラインド設定が選択されていない場合、ＢＢＵは、測定結果に基づいてＬＡＡ  ＳＣｅｌｌを追加する必要がある。ＢＢＵは、測定設定情報を通じて端末にセカンダリセルの周波数情報を送信する。ＢＢＵは端末から測定レポートを受信し、測定結果に基づいてＬＡＡ  ＳＣｅｌｌを設定する。
【０１１２】
本出願の本実施形態において、ＢＢＵがセカンダリセルを設定することを完了した後、端末は、ＢＢＵ間調整ＬＡＡを実行し得る。ＬＡＡはキャリアアグリゲーションであり、一方で、ＬＡＡのＳＣｅｌｌはアンライセンススペクトルで動作する。アンライセンスキャリアを用いるセカンダリセルは、簡略化された維持管理方式を用いる、これは、ホストオペレータによる責任である。例えば、ホストオペレータは、ＬＡＡ  ＳＣｅｌｌ設定、再開、アラームレポート等を担当する。
【０１１３】
アンライセンスキャリアを用いるセカンダリセルがコンバージェンスノードで展開される。アンライセンスキャリアを用いるセカンダリセルの周波数がコンバージェンスノードで均一に計画され、ｐＲＲＵのＩＢＷの制約が満たされることを保証する。さらに、同じキャリアを用いることによって実行される共有がオペレータ間で実装されてよく、単一ヘッド側でのアンライセンス周波数の数が削減され、ｐＲＲＵ間の干渉が削減され、スペクトル効率が最大限改善される。さらに、各オペレータは、最も高いスペクトルリソースを用いることができ、例えば、ｐＲＲＵは全体で４個のアンライセンス周波数を有し、４個のアンライセンス周波数が２つのオペレータによって共有され、各オペレータは全てのキャリアを十分に用いるべく、４個のアンライセンス周波数を用い得る。プライマリセルとアンライセンスキャリアを用いるセカンダリセルとの間の位置マッピング関係に従って、ライセンスキャリアを用いるプライマリセルは測定及び設定を実行し、ライセンスキャリアを用いるプライマリセルのカバレッジエリアにおいて周波数のみを送信し、測定する必要がある周波数の数を削減し、測定効率を改善する。
【０１１４】
先行技術と比較すると、本出願の本実施形態において、コンバージェンスノードは、ライセンスキャリアを用いるプライマリセルが配置されるｐＲＲＵとアンライセンスキャリアを用いるセカンダリセルが配置されるｐＲＲＵとの間の関係と、ｐＲＲＵ間のトポロジー関係とに基づいて、ターゲットプライマリセルのカバレッジエリアにおけるアンライセンスキャリアの周波数情報を正確に配置し、測定する必要がある周波数の数を削減し、ＵＥによるセカンダリセルを設定の遅延を削減し、ユーザ体験を改善する。本出願の本実施形態において、アンライセンスキャリアの展開位置が変更され、その結果、アンライセンスキャリアが公共のリソースとして複数のオペレータによって共有され、各オペレータは最も高い仕様でセカンダリキャリアを設定し得る。
【０１１５】
本出願の本実施形態において、マルチオペレータに共通の設定及び共有ネットワークアーキテクチャが用いられ、その結果、アンライセンスキャリアが公共のリソースとしてホストオペレータによる責任で管理され、それにより、異なるＢＢＵを用いることにより複数のオペレータのライセンスキャリアによって実行される共有、及び同じキャリアを用いることによりアンライセンスキャリアによって実行される共有を実装し、アンライセンスキャリアのスペクトル効率を最大化することが留意されるべきである。アンライセンスキャリアを用いるセルが、コンバージェンスノードによる責任で必要最低限度の維持管理の解決手段を用いて、オペレータの維持管理コストを削減する。最適な周波数の組み合わせがライセンスキャリアを用いるプライマリセルとアンライセンスキャリアを用いるセカンダリセルとの間のトポロジー関係に基づいて選択され、干渉を削減し、測定する必要がある周波数の数を最小化し、測定効率を改善する。
【０１１６】
簡潔な説明のために、前述の方法の実施形態が一連の動作として表わされることが留意されるべきである。しかしながら、本願によれば、いくつかの段階が他の順序又は同時に実行されてよいので、本願が説明された動作順序に限定されないことを当業者は理解すべきである。本明細書で説明される実施形態は全て例示的な実施形態に属し、関連する動作及びモジュールが本願で必ずしも必要とされないことが当業者によってさらに理解されるべきである。
【０１１７】
本願の実施形態において前述の解決手段をよりよく実装すべく、以下では前述の解決手段を実装するように構成される関連装置をさらに提供する。
【０１１８】
図６ａを参照すると、本願の一実施形態は、コンバージェンスノード６００を提供する。コンバージェンスノード６００は処理モジュール６０１及び送信モジュール６０２を含み得る。処理モジュール６０１は、第１のアンライセンスキャリアを用いる第１のセカンダリセルを展開するように構成される。処理モジュール６０１は、ピコリモート無線ユニットｐＲＲＵによって測定された周波数干渉情報に基づいて、第１のセカンダリセルの周波数情報を生成するようにさらに構成される。ここで、周波数情報は、第１のアンライセンスキャリアに対応し、且つ、第１のセカンダリセルのためにコンバージェンスノードによって選択される第１の周波数を含む。送信モジュール６０２は、ベースバンドユニットＢＢＵに第１のセカンダリセルのセル情報を送信するように構成される。ここで、セル情報は、第１のセカンダリセルの周波数情報を含み、ＢＢＵは、ライセンスキャリアを用いるターゲットプライマリセルに対応する。
【０１１９】
本願のいくつかの実施形態において、処理モジュール６０１は、具体的には、ｐＲＲＵによって測定された周波数干渉情報と、ｐＲＲＵ間のトポロジー関係と、ｐＲＲＵとセルとの間のマッピング関係とに基づいて、第１のセカンダリセルの周波数情報を生成するように構成される。ここで、セルは、第１のセカンダリセル及びターゲットプライマリセルを含む。
【０１２０】
図６ｂに示される本願のいくつかの実施形態において、コンバージェンスノード６００は、受信モジュール６０３をさらに含む。受信モジュール６０３は、Ｍ個のｐＲＲＵによってそれぞれレポートされた周波数測定結果を受信するように構成される。ここで、周波数測定結果は、各ｐＲＲＵがＮ個の周波数に対して干渉測定を実行した後に生成された情報であり、Ｍ及びＮは、正の整数である。処理モジュール６０２は、具体的には、周波数測定結果と、トポロジー関係と、マッピング関係とに基づいて、その干渉値が干渉閾値より小さい周波数を、第１の周波数として選択することであって、干渉閾値は、Ｎ個の周波数の中で最も小さい干渉値を用いることによって決定される、選択することと、選択された第１の周波数に基づいて、第１のセカンダリセルの周波数情報を生成することとを行うように構成される。
【０１２１】
本願のいくつかの実施形態において、処理モジュール６０１は、具体的には、Ｎ個の周波数から、その干渉値が干渉閾値より小さく、且つ、そのターゲットプライマリセルにおけるアンライセンスキャリアの周波数の数が周波数の数の閾値より少ない周波数を第１の周波数として選択するように構成される。
【０１２２】
本願のいくつかの実施形態において、処理モジュール６０１は、具体的には、セカンダリセルの領域情報を取得し、セカンダリセルの領域情報に基づいて、第１のアンライセンスキャリアを用いる第１のセカンダリセルを作成するように構成される。
【０１２３】
本願のいくつかの実施形態において、送信モジュール６０２がベースバンドユニットＢＢＵに第１のセカンダリセルのセル情報を送信する前に、処理モジュール６０１は、同じキャリアを用いることにより共有を実行するという原理に基づいて、第１のセカンダリセルと重複したカバレッジエリアを有するプライマリセルを、ターゲットプライマリセルとして決定し、ターゲットプライマリセルに基づいて、ＢＢＵを決定するようにさらに構成される。
【０１２４】
本願のいくつかの実施形態において、送信モジュール６０２がベースバンドユニットＢＢＵに第１のセカンダリセルのセル情報を送信する前に、処理モジュール６０１は、異なるキャリアを用いることにより共有を実行するという原理によって必要とされるアンライセンスキャリア割り当て割合に基づいて、第１のアンライセンスキャリアが割り当てられるＢＢＵセットを決定し、第１のアンライセンスキャリアが割り当てられるＢＢＵセットに対応する複数のプライマリセルから、第１のセカンダリセルと重複したカバレッジエリアを有するプライマリセルを、ターゲットプライマリセルとして決定し、ターゲットプライマリセルに基づいて、ＢＢＵを決定するようにさらに構成される。
【０１２５】
前述の実施形態における例示的な説明から、コンバージェンスノードは、最初に、第１のアンライセンスキャリアを用いる第１のセカンダリセルを展開し、その後、コンバージェンスノードは、ｐＲＲＵによって測定された周波数干渉情報に基づいて、第１のセカンダリセルの周波数情報を生成し、周波数情報は、第１のアンライセンスキャリアに対応し、且つ、第１のセカンダリセルのためにコンバージェンスノードによって選択される第１の周波数を含み、最終的に、コンバージェンスノードは、ＢＢＵに第１のセカンダリセルのセル情報を送信し、ＢＢＵは、ライセンスキャリアを用いるターゲットプライマリセルに対応することが分かり得る。本出願の本実施形態において、アンライセンスキャリアを用いるセカンダリセルがコンバージェンスノードで展開され、コンバージェンスノードがセカンダリセルの周波数を均一に計画し得、その結果、瞬間の動作帯域幅でｐＲＲＵによって実行される制約が満たされ得る。本出願の本実施形態において、アンライセンスキャリアの展開位置がコンバージェンスノードに配置され、その結果、アンライセンスキャリアを用いるセカンダリセルが、オペレータ間の共通の設定及び共有を実装すべく、公共のリソースとして用いられ得、それにより、アンライセンスキャリアのスペクトル利用を改善する。
【０１２６】
図７ａを参照すると、本願の一実施形態は、ＢＢＵ７００を提供する。ＢＢＵ７００は、ライセンスキャリアを用いるターゲットプライマリセルに対応する。ＢＢＵ７００は、受信モジュール７０１及び処理モジュール７０２を含む。受信モジュール７０１は、第１のセカンダリセルの、コンバージェンスノードによって送信されるセル情報を受信するように構成される。ここで、セル情報は、第１のアンライセンスキャリアに対応し、且つ、コンバージェンスノードによって選択される第１の周波数を含む。処理モジュール７０２は、第１のセカンダリセルのセル情報に基づいて、第１のアンライセンスキャリアを用いる第１のセカンダリセルを設定するように構成される。
【０１２７】
本願のいくつかの実施形態において、図７ｂに示されるように、ＢＢＵ７００は、送信モジュール７０３をさらに含む。送信モジュール７０３は、端末に測定設定情報を送信するように構成される。ここで、測定設定情報は、測定する必要がある第１の周波数を含む。受信モジュール７０１は、測定設定情報に基づいて端末によりレポートされた測定レポートを受信するように構成される。処理モジュール７０２は、具体的には、端末によりレポートされた測定レポートに基づいて、第１の周波数でセカンダリセルを設定するように構成される。
【０１２８】
本願のいくつかの実施形態において、処理モジュール７０２は、具体的には、第１のセカンダリセルのセル情報に基づいて、第１の周波数の数がＳ個であることを決定することであって、Ｓは２より大きい又はこれに等しい正の整数である、決定することと、Ｓ個の第１の周波数によって個別に所有されるセカンダリセルの数に基づいて、Ｓ個の第１の周波数からＴ個の第１の周波数を決定することであって、ＴはＳより小さい又はこれに等しい、決定することとを行うように構成される。送信モジュール７０３は、具体的には、測定する必要があるＴ個の第１の周波数の測定設定情報を、端末に送信するように構成される。
【０１２９】
前述の実施形態における例示的な説明から、ベースバンドユニットがライセンスキャリアを用いるターゲットプライマリセルに対応することが分かり得る。ベースバンドユニットは、最初に、第１のセカンダリセルの、コンバージェンスノードによって送信されるセル情報を受信する。セル情報は、第１のセカンダリセルの周波数情報を含む。周波数情報は、第１のアンライセンスキャリアに対応し、且つ、コンバージェンスノードによって選択される第１の周波数を含む。ベースバンドユニットは、第１のセカンダリセルのセル情報に基づいて、第１のアンライセンスキャリアを用いる第１のセカンダリセルを設定し得る。本出願の本実施形態において、ベースバンドユニットは、コンバージェンスノードから、アンライセンスキャリアに対応する周波数を決定し得、その結果、セカンダリセルが周波数で設定され得る。ベースバンドユニットは設定されたセカンダリセルを用いることによってデータを送信し得、それにより、アンライセンスキャリアのスペクトル利用を実装する。
【０１３０】
本願の一実施形態は、コンピュータ記憶媒体をさらに提供する。コンピュータ記憶媒体はプログラムを格納し、プログラムは前述の方法の実施形態に記録されている段階の一部又は全てを実行する。
【０１３１】
以下では、本願の一実施形態で提供される他のコンバージェンスノードを説明する。図８を参照すると、コンバージェンスノード８００は、受信機８０１と、送信機８０２と、プロセッサ８０３と、メモリ８０４とを含む（コンバージェンスノード８００内に１又は複数のプロセッサ８０３が存在してよく、コンバージェンスノード８００内に１つのプロセッサが存在することが図８の一例として用いられる）。本願のいくつかの実施形態において、受信機８０１と、送信機８０２と、プロセッサ８０３と、メモリ８０４とは、バスを用いることによって又は他の方式で接続され得る。図８において、受信機８０１と、送信機８０２と、プロセッサ８０３と、メモリ８０４とがバスを用いることによって接続される一例が用いられる。
【０１３２】
メモリ８０４は、リードオンリメモリ及びランダムアクセスメモリを含み得、プロセッサ８０３に命令及びデータを提供し得る。メモリ８０４の一部は、不揮発性ランダムアクセスメモリ（英語のフルネーム：Ｎｏｎ−Ｖｏｌａｔｉｌｅ  Ｒａｎｄｏｍ  Ａｃｃｅｓｓ  Ｍｅｍｏｒｙ、略してＮＶＲＡＭ）をさらに含み得る。メモリ８０４は、オペレーティングシステム及び演算命令、実行モジュール又はデータ構造、又はそれらのサブネット、又はそれらの拡張セットを格納する。演算命令は、様々な演算を実装すべく、様々な演算命令を含み得る。オペレーティングシステムは、様々な基本サービスを実装し、ハードウェアベースタスクを処理すべく、様々なシステムプログラムを含み得る。
【０１３３】
プロセッサ８０３は、コンバージェンスノードの演算を制御し、プロセッサ８０３は、さらに、中央演算処理装置（英語のフルネーム：Ｃｅｎｔｒａｌ  Ｐｒｏｃｅｓｓｉｎｇ  Ｕｎｉｔ、略してＣＰＵ）と称され得る。特定の用途において、コンバージェンスノードの複数のコンポーネントが、バスシステムを用いることによって共に連結される。データバスに加えて、バスシステムは、電力バス、制御バス、及びステータス信号バスを含む。しかしながら、明確な説明のために、図における様々なタイプのバスがバスシステムとして示される。
【０１３４】
本出願の前述の実施形態で開示される方法がプロセッサ８０３に適用されてよく、又はプロセッサ８０３によって実装されてよい。プロセッサ８０３が集積回路チップであってよく、信号処理能力を有する。実装プロセスにおいて、前述の方法における段階が、プロセッサ８０３内のハードウェア集積論理回路を用いることによって、又はソフトウェアの形態で命令を用いることによって実装され得る。プロセッサ８０３は、汎用プロセッサ、デジタルシグナルプロセッサ（英語のフルネーム：Ｄｉｇｉｔａｌ  Ｓｉｇｎａｌ  Ｐｒｏｃｅｓｓｏｒ、略してＤＳＰ）、特定用途向け集積回路（英語のフルネーム：Ａｐｐｌｉｃａｔｉｏｎ−Ｓｐｅｃｉｆｉｃ  Ｉｎｔｅｇｒａｔｅｄ  Ｃｉｒｃｕｉｔ、略してＡＳＩＣ）、フィールドプログラマブルゲートアレイ（英語のフルネーム：Ｆｉｅｌｄ−Ｐｒｏｇｒａｍｍａｂｌｅ  Ｇａｔｅ  Ａｒｒａｙ、略してＦＰＧＡ）又は他のプログラマブル論理デバイス、ディスクリートゲート又はトランジスタ論理デバイス、又はディスクリートハードウェアコンポーネントであり得る。それは、本願の実施形態で開示される方法、段階、及び論理ブロック図を実装又は実行し得る。汎用プロセッサはマイクロプロセッサであってよく、プロセッサは任意の従来のプロセッサ等であってよい。本願の実施形態を参照して開示される方法の段階が、ハードウェア復号プロセッサによって直接実行されて実現されてよく、又は復号プロセッサ内のハードウェア及びソフトウェアモジュールの組み合わせを用いることによって実行されて実現されてよい。ソフトウェアモジュールが、ランダムアクセスメモリ、フラッシュメモリ、リードオンリメモリ、プログラム可能型リードオンリメモリ、電気的に消去可能なプログラム可能型メモリ、又はレジスタ等の当該技術分野における成熟した記憶媒体に配置され得る。記憶媒体がメモリ８０４に配置され、プロセッサ８０３がメモリ８０４内の情報を読み取り、プロセッサのハードウェアと組み合わせて前述の方法における段階を完了する。
【０１３５】
本出願の本実施形態において、プロセッサ８０３は、コンバージェンスノード側で実行されるアンライセンスキャリア処理方法を実行するように構成される。詳細については、前述の実施形態における方法の説明を参照する。
【０１３６】
以下では、本願の一実施形態で提供される他のＢＢＵを説明する。図９を参照すると、ＢＢＵ９００は、受信機９０１と、送信機９０２と、プロセッサ９０３と、メモリ９０４とを含む（ＢＢＵ９００内に１又は複数のプロセッサ９０３が存在してよく、ＢＢＵ９００内に１つのプロセッサが存在することが図９の一例として用いられる）。本願のいくつかの実施形態において、受信機９０１と、送信機９０２と、プロセッサ９０３と、メモリ９０４とは、バスを用いることによって又は他の方式で接続され得る。図９において、受信機９０１と、送信機９０２と、プロセッサ９０３と、メモリ９０４とがバスを用いることによって接続される一例が用いられる。
【０１３７】
メモリ９０４は、リードオンリメモリ及びランダムアクセスメモリを含み得、プロセッサ９０３に命令及びデータを提供し得る。メモリ９０４の一部は、ＮＶＲＡＭをさらに含み得る。メモリ９０４は、オペレーティングシステム及び演算命令、実行モジュール又はデータ構造、又はそれらのサブセット、又はそれらの拡張セットを格納する。演算命令は、様々な演算を実装すべく、様々な演算命令を含み得る。オペレーティングシステムは、様々な基本サービスを実装し、ハードウェアベースタスクを処理すべく、様々なシステムプログラムを含み得る。
【０１３８】
プロセッサ９０３は、ＢＢＵの演算を制御し、プロセッサ９０３は、さらに、ＣＰＵと称され得る。特定の用途において、ＢＢＵの複数のコンポーネントが、バスシステムを用いることによって共に連結される。データバスに加えて、バスシステムは、電力バス、制御バス、及びステータス信号バスを含む。しかしながら、明確な説明のために、図における様々なタイプのバスがバスシステムとして示される。
【０１３９】
本出願の前述の実施形態で開示される方法がプロセッサ９０３に適用されてよく、又はプロセッサ９０３によって実装されてよい。プロセッサ９０３が集積回路チップであってよく、信号処理能力を有する。実装プロセスにおいて、前述の方法における段階が、プロセッサ９０３内のハードウェア集積論理回路を用いることによって、又はソフトウェアの形態で命令を用いることによって実装され得る。前述のプロセッサ９０３は、汎用プロセッサ、ＤＳＰ、ＡＳＩＣ、ＦＰＧＡ又は他のプログラマブル論理デバイス、ディスクリートゲート又はトランジスタ論理デバイス、又はディスクリートハードウェアコンポーネントであり得る。それは、本願の実施形態で開示される方法、段階、及び論理ブロック図を実装又は実行し得る。汎用プロセッサはマイクロプロセッサであってよく、プロセッサは任意の従来のプロセッサ等であってよい。本願の実施形態を参照して開示される方法の段階が、ハードウェア復号プロセッサによって直接実行されて実現されてよく、又は復号プロセッサ内のハードウェア及びソフトウェアモジュールの組み合わせを用いることによって実行されて実現されてよい。ソフトウェアモジュールが、ランダムアクセスメモリ、フラッシュメモリ、リードオンリメモリ、プログラム可能型リードオンリメモリ、電気的に消去可能なプログラム可能型メモリ、又はレジスタ等の当該技術分野における成熟した記憶媒体に配置され得る。記憶媒体がメモリ９０４に配置され、プロセッサ９０３がメモリ９０４内の情報を読み取り、プロセッサのハードウェアと組み合わせて前述の方法における段階を完了する。
【０１４０】
本出願の本実施形態において、プロセッサ９０３は、前述のＢＢＵ側で実行されるアンライセンスキャリア処理方法を実行するように構成される。詳細については、前述の実施形態における方法お説明を参照する。
【０１４１】
他の可能な設計において、コンバージェンスノード又はＢＢＵがデバイス内のチップであるとき、チップは処理ユニット及び通信ユニットを含む。処理ユニットは、例えば、プロセッサであり得る。通信ユニットは、例えば、入力／出力インタフェース、ピン、又は回路であり得る。処理ユニットは、記憶ユニットに格納されているコンピュータ実行可能命令を実行し得、その結果、デバイス内のチップは、第１の態様における可能な設計のいずれか１つに係る無線通信方法を実行する。任意で、記憶ユニットはチップ内の記憶ユニット、例えば、レジスタ又はキャッシュであり、記憶ユニットは代替的に端末内にあり、且つ、チップの外側にある記憶ユニット、例えば、リードオンリメモリ（ｒｅａｄ−ｏｎｌｙ  ｍｅｍｏｒｙ、ＲＯＭ）、静的情報及び命令を格納し得る他のタイプのスタティックストレージデバイス、又はランダムアクセスメモリ（ｒａｎｄｏｍ  ａｃｃｅｓｓ  ｍｅｍｏｒｙ、ＲＡＭ）であり得る。
【０１４２】
任意の前述の設計で言及されたプロセッサは、第１の態様に係る無線通信方法のプログラム実行を制御するための、汎用の中央演算処理装置（ＣＰＵ）、マイクロプロセッサ、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、又は１又は複数の集積回路であり得る。
【０１４３】
さらに、説明された装置の実施形態が単に一例に過ぎないことが留意されるべきである。分離した部分として説明されたユニットが物理的に分離していてもしていなくてもよく、ユニットとして表示された部分が物理ユニットであってもなくてもよく、１か所に配置されてよく、又は複数のネットワークユニットに分配されてよい。実施形態の解決手段の目的を達成すべく、一部又は全てのモジュールが実際の必要性に応じて選択され得る。さらに、本願によって提供される装置の実施形態の添付図面において、モジュール間の接続関係は、モジュールが、具体的には１又は複数の通信バス又は信号ケーブルとして実装され得る、互いとの通信接続を有することを示す。当業者は、創造努力をすることなく、本発明の実施形態を理解して実装し得る。
【０１４４】
前述の実装の説明に基づいて、当業者は、本願が必要な汎用ハードウェアに加えてソフトウェアによって、又は専用集積回路、専用ＣＰＵ、専用メモリ、専用コンポーネント等を含む、専用ハードウェアによって実装され得ることを明確に理解し得る。概して、コンピュータプログラムによって実行され得る任意の機能が、対応するハードウェアを用いることによって容易に実装され得る。さらに、同じ機能を達成するのに用いられる具体的なハードウェア構造が、様々な形態、例えば、アナログ回路、デジタル回路、専用回路等の形態であり得る。しかしながら、本願に関しては、ソフトウェアプログラム実装が、大部分の場合でよりよく実装される。そのような理解に基づいて、本願の技術解決手段は基本的に、又は先行技術に貢献する部分がソフトウェア製品の形態で実装され得る。ソフトウェア製品は、フロッピーディスク、ＵＳＢフラッシュドライブ、取り外し可能なハードディスク、リードオンリメモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、又はコンピュータの光ディスク等の可読記憶媒体に格納され、本願の実施形態で説明された方法を実行すべく、（パーソナルコンピュータ、サーバ、ネットワークデバイス等であり得る）コンピュータデバイスを命令するためのいくつかの命令を含む。
【０１４５】
前述の実施形態の全て又は一部が、ソフトウェア、ハードウェア、ファームウェア、又はそれらの任意の組み合わせを用いることによって実装され得る。ソフトウェアが実施形態を実装するのに用いられるとき、実施形態がコンピュータプログラム製品の形態で完全に又は部分的に実装され得る。
【０１４６】
コンピュータプログラム製品は、１又は複数のコンピュータ命令を含む。コンピュータプログラム命令がコンピュータ上でロードされて実行されるとき、本願の実施形態に係る手順又は機能が全て又は部分的に生成される。コンピュータは、汎用コンピュータ、専用コンピュータ、コンピュータネットワーク、又は他のプログラム可能な装置であり得る。コンピュータ命令がコンピュータ可読記憶媒体に格納されてよく、又はコンピュータ可読記憶媒体から他のコンピュータ可読記憶媒体に送信されてよい。例えば、コンピュータ命令が、有線方式（例えば、同軸ケーブル、光ファイバ、又はデジタル加入者線（ＤＳＬ））又は無線方式（例えば、赤外線、電波、又はマイクロ波）で、ウェブサイト、コンピュータ、サーバ、又はデータセンタから他のウェブサイト、コンピュータ、サーバ、又はデータセンタに送信され得る。コンピュータ可読記憶媒体は、コンピュータによってアクセス可能な任意の使用可能な媒体、又は、１又は複数の使用可能な媒体を統合する、サーバ又はデータセンタ等のデータストレージデバイスであり得る。使用可能な媒体は、磁気媒体（例えば、フロッピーディスク、ハードディスク、又は磁気テープ）、光媒体（例えば、ＤＶＤ）半導体媒体（例えば、ソリッドステートドライブＳｏｌｉｄ  Ｓｔａｔｅ  Ｄｉｓｋ（ＳＳＤ））等であり得る。
【図１】
2021507630.tif 000006
【図２】
2021507630.tif 000007
【図３】
2021507630.tif 000008
【図４】
2021507630.tif 000009
【図５】
2021507630.tif 000010
【図６ａ】
2021507630.tif 000011
【図６ｂ】
2021507630.tif 000012
【図７ａ】
2021507630.tif 000013
【図７ｂ】
2021507630.tif 000014
【図８】
2021507630.tif 000015
【図９】
2021507630.tif 000016
【手続補正書】
【提出日】令和2年7月15日(2020.7.15)
【手続補正１】
【補正対象書類名】特許請求の範囲
【補正対象項目名】全文
【補正方法】変更
【補正の内容】
【特許請求の範囲】
【請求項１】
アンライセンスキャリア処理方法であって、
コンバージェンスノードが、第１のアンライセンスキャリアを用いる第１のセカンダリセルを展開する段階と、
前記コンバージェンスノードが、ピコリモート無線ユニット（ｐＲＲＵ）によって測定された周波数干渉情報に基づいて、前記第１のセカンダリセルの周波数情報を生成する段階であって、前記周波数情報は、前記第１のアンライセンスキャリアに対応し、且つ、前記第１のセカンダリセルのために前記コンバージェンスノードによって選択される第１の周波数を含む、段階と、
前記コンバージェンスノードが、ベースバンドユニット（ＢＢＵ）に前記第１のセカンダリセルのセル情報を送信する段階であって、前記セル情報は、前記第１のセカンダリセルの前記周波数情報を含み、前記ＢＢＵは、ライセンスキャリアを用いるターゲットプライマリセルに対応する、段階と
を備える、方法。
【請求項２】
前記コンバージェンスノードが、前記ｐＲＲＵによって測定された周波数干渉情報に基づいて、前記第１のセカンダリセルの周波数情報を前記生成する段階は、
前記コンバージェンスノードが、前記ｐＲＲＵによって測定された前記周波数干渉情報と、ｐＲＲＵ間のトポロジー関係と、前記ｐＲＲＵとセルとの間のマッピング関係とに基づいて、前記第１のセカンダリセルの前記周波数情報を生成する段階であって、前記セルは、前記第１のセカンダリセル及び前記ターゲットプライマリセルを含む、段階
を有する、請求項１に記載の方法。
【請求項３】
前記コンバージェンスノードが、前記ｐＲＲＵによって測定された前記周波数干渉情報と、ｐＲＲＵ間のトポロジー関係と、前記ｐＲＲＵとセルとの間のマッピング関係とに基づいて、前記第１のセカンダリセルの前記周波数情報を前記生成する段階は、
前記コンバージェンスノードが、Ｍ個のｐＲＲＵによってそれぞれレポートされた周波数測定結果を受信する段階であって、前記周波数測定結果は、各ｐＲＲＵがＮ個の周波数に対して干渉測定を実行した後に生成された情報であり、Ｍ及びＮは、正の整数である、段階と、
前記コンバージェンスノードが、前記Ｎ個の周波数から、前記周波数測定結果と、前記トポロジー関係と、前記マッピング関係とに基づいて、その干渉値が干渉閾値より小さい周波数を、前記第１の周波数として選択する段階であって、前記干渉閾値は、前記Ｎ個の周波数の中で最も小さい干渉値を用いることによって決定される、段階と、
前記コンバージェンスノードが、選択された前記第１の周波数に基づいて、前記第１のセカンダリセルの前記周波数情報を生成する段階と
を含む、請求項２に記載の方法。
【請求項４】
前記コンバージェンスノードが、前記Ｎ個の周波数から、前記周波数測定結果と、前記トポロジー関係と、前記マッピング関係とに基づいて、その干渉値が干渉閾値より小さい周波数を、前記第１の周波数として前記選択する段階は、
前記コンバージェンスノードが、前記Ｎ個の周波数から、その前記干渉値が前記干渉閾値より小さく、且つ、その前記ターゲットプライマリセルにおけるアンライセンスキャリアの周波数の数が前記周波数の数の閾値より少ない周波数を、前記第１の周波数として選択する段階
を含む、請求項３に記載の方法。
【請求項５】
コンバージェンスノードが、第１のアンライセンスキャリアを用いる第１のセカンダリセルを前記展開する段階は、
前記コンバージェンスノードが、セカンダリセルの領域情報を取得する段階と、
前記コンバージェンスノードが、前記セカンダリセルの前記領域情報に基づいて、前記第１のアンライセンスキャリアを用いる前記第１のセカンダリセルを作成する段階と
を有する、請求項１に記載の方法。
【請求項６】
前記コンバージェンスノードが、ベースバンドユニット（ＢＢＵ）に前記第１のセカンダリセルのセル情報を前記送信する段階の前に、前記方法は、
前記コンバージェンスノードが、同じキャリアを用いることにより共有を実行するという原理に基づいて、前記第１のセカンダリセルと重複したカバレッジエリアを有するプライマリセルを、前記ターゲットプライマリセルとして決定する段階と、
前記コンバージェンスノードが、前記ターゲットプライマリセルに基づいて、前記ＢＢＵを決定する段階と
をさらに備える、請求項１から５のいずれか一項に記載の方法。
【請求項７】
前記コンバージェンスノードが、前記ＢＢＵに前記第１のセカンダリセルのセル情報を前記送信する段階の前に、前記方法は、
前記コンバージェンスノードが、異なるキャリアを用いることにより共有を実行するという原理によって必要とされるアンライセンスキャリア割り当て割合に基づいて、前記第１のアンライセンスキャリアが割り当てられるＢＢＵセットを決定する段階と、
前記コンバージェンスノードが、前記第１のアンライセンスキャリアが割り当てられる前記ＢＢＵセットに対応する複数のプライマリセルから、前記第１のセカンダリセルと重複したカバレッジエリアを有するプライマリセルを、前記ターゲットプライマリセルとして決定する段階と、
前記コンバージェンスノードが、前記ターゲットプライマリセルに基づいて、前記ＢＢＵを決定する段階と
をさらに備える、請求項１から５のいずれか一項に記載の方法。
【請求項８】
アンライセンスキャリア処理方法であって、
ベースバンドユニット（ＢＢＵ）が、第１のセカンダリセルの、コンバージェンスノードによって送信されるセル情報を受信する段階であって、前記ＢＢＵは、ライセンスキャリアを用いるターゲットプライマリセルに対応し、前記セル情報は、第１のアンライセンスキャリアに対応し、且つ、前記コンバージェンスノードによって選択される第１の周波数を含む、段階と、
前記ＢＢＵが、前記第１のセカンダリセルの前記セル情報に基づいて、前記第１のアンライセンスキャリアを用いる前記第１のセカンダリセルを設定する段階と
を備える、方法。
【請求項９】
前記ＢＢＵが、前記第１のセカンダリセルの前記セル情報に基づいて、前記第１のアンライセンスキャリアを用いる前記第１のセカンダリセルを前記設定する段階は、
前記ＢＢＵが、端末に測定設定情報を送信する段階であって、前記測定設定情報は、測定する必要がある第１の周波数を含む、段階と、
前記ＢＢＵが、前記測定設定情報に基づいて前記端末によりレポートされた測定レポートを受信する段階と、
前記ＢＢＵが、前記端末によりレポートされた前記測定レポートに基づいて、前記第１の周波数で前記第１のセカンダリセルを設定する段階と、
を有する、請求項８に記載の方法。
【請求項１０】
前記ＢＢＵが、端末に測定設定情報を前記送信する段階は、
前記ＢＢＵが、前記第１のセカンダリセルの前記セル情報に基づいて、第１の周波数の数がＳ個であることを決定する段階であって、Ｓは２より大きい又はこれに等しい正の整数である、段階と、
前記ＢＢＵが、前記Ｓ個の第１の周波数によって個別に所有されるセカンダリセルの数に基づいて、前記Ｓ個の第１の周波数からＴ個の第１の周波数を決定する段階であって、ＴはＳより小さい又はこれに等しい、段階と、
前記ＢＢＵが、測定する必要がある前記Ｔ個の第１の周波数の測定設定情報を、前記端末に送信する段階と
を含む、請求項９に記載の方法。
【請求項１１】
コンバージェンスノードであって、
第１のアンライセンスキャリアを用いる第１のセカンダリセルを展開するように構成される処理モジュールであって、前記処理モジュールは、ピコリモート無線ユニット（ｐＲＲＵ）によって測定された周波数干渉情報に基づいて、前記第１のセカンダリセルの周波数情報を生成するようにさらに構成され、前記周波数情報は、前記第１のアンライセンスキャリアに対応し、且つ、前記第１のセカンダリセルのために前記コンバージェンスノードによって選択される第１の周波数を含む、処理モジュールと、
ベースバンドユニット（ＢＢＵ）に前記第１のセカンダリセルのセル情報を送信するように構成される送信モジュールであって、前記セル情報は、前記第１のセカンダリセルの前記周波数情報を含み、前記ＢＢＵは、ライセンスキャリアを用いるターゲットプライマリセルに対応する、送信モジュールと
を備える、コンバージェンスノード。
【請求項１２】
前記処理モジュールは、具体的には、前記ｐＲＲＵによって測定された前記周波数干渉情報と、ｐＲＲＵ間のトポロジー関係と、前記ｐＲＲＵとセルとの間のマッピング関係とに基づいて、前記第１のセカンダリセルの前記周波数情報を生成するように構成され、前記セルは、前記第１のセカンダリセル及び前記ターゲットプライマリセルを含む、請求項１１に記載のコンバージェンスノード。
【請求項１３】
前記コンバージェンスノードは、受信モジュールをさらに備え、 
前記受信モジュールは、Ｍ個のｐＲＲＵによってそれぞれレポートされた周波数測定結果を受信するように構成され、前記周波数測定結果は、各ｐＲＲＵがＮ個の周波数に対して干渉測定を実行した後に生成された情報であり、Ｍ及びＮは、正の整数であり、
前記処理モジュールは、具体的には、前記Ｎ個の周波数から、前記周波数測定結果と、前記トポロジー関係と、前記マッピング関係とに基づいて、その干渉値が干渉閾値より小さい周波数を、前記第１の周波数として選択することであって、前記干渉閾値は、前記Ｎ個の周波数の中で最も小さい干渉値を用いることによって決定される、選択することと、選択された前記第１の周波数に基づいて、前記第１のセカンダリセルの前記周波数情報を生成することとを行うように構成される、
請求項１２に記載のコンバージェンスノード。
【請求項１４】
前記処理モジュールは、具体的には、前記Ｎ個の周波数から、その前記干渉値が前記干渉閾値より小さく、且つ、その前記ターゲットプライマリセルにおけるアンライセンスキャリアの周波数の数が前記周波数の数の閾値より少ない周波数を、前記第１の周波数として選択するように構成される、請求項１３に記載のコンバージェンスノード。
【請求項１５】
前記処理モジュールは、具体的には、セカンダリセルの領域情報を取得し、前記セカンダリセルの前記領域情報に基づいて、前記第１のアンライセンスキャリアを用いる前記第１のセカンダリセルを作成するように構成される、請求項１１に記載のコンバージェンスノード。
【請求項１６】
前記送信モジュールが前記ＢＢＵに前記第１のセカンダリセルの前記セル情報を送信する前に、前記処理モジュールは、同じキャリアを用いることにより共有を実行するという原理に基づいて、前記第１のセカンダリセルと重複したカバレッジエリアを有するプライマリセルを、前記ターゲットプライマリセルとして決定し、前記ターゲットプライマリセルに基づいて、前記ＢＢＵを決定するようにさらに構成される、請求項１１から１５のいずれか一項に記載のコンバージェンスノード。
【請求項１７】
前記送信モジュールが前記ＢＢＵに前記第１のセカンダリセルの前記セル情報を送信する前に、前記処理モジュールは、異なるキャリアを用いることにより共有を実行するという原理によって必要とされるアンライセンスキャリア割り当て割合に基づいて、前記第１のアンライセンスキャリアが割り当てられるＢＢＵセットを決定し、前記第１のアンライセンスキャリアが割り当てられる前記ＢＢＵセットに対応する複数のプライマリセルから、前記第１のセカンダリセルと重複したカバレッジエリアを有するプライマリセルを、前記ターゲットプライマリセルとして決定し、前記ターゲットプライマリセルに基づいて、前記ＢＢＵを決定するようにさらに構成される、請求項１１から１５のいずれか一項に記載のコンバージェンスノード。
【請求項１８】
ベースバンドユニット（ＢＢＵ）であって、前記ベースバンドユニットは、ライセンスキャリアを用いるターゲットプライマリセルに対応し、前記ベースバンドユニットは、
第１のセカンダリセルの、コンバージェンスノードによって送信されるセル情報を受信するように構成される受信モジュールであって、前記セル情報は、第１のアンライセンスキャリアに対応し、且つ、前記コンバージェンスノードによって選択される第１の周波数を含む、受信モジュールと、
前記第１のセカンダリセルの前記セル情報に基づいて、前記第１のアンライセンスキャリアを用いる前記第１のセカンダリセルを設定するように構成される処理モジュールと
を備える、ベースバンドユニット。
【請求項１９】
前記ベースバンドユニットは、送信モジュールをさらに備え、
前記送信モジュールは、端末に測定設定情報を送信するように構成され、前記測定設定情報は、測定する必要がある第１の周波数を含み、
前記受信モジュールは、前記測定設定情報に基づいて前記端末によりレポートされた測定レポートを受信するように構成され、
前記処理モジュールは、具体的には、前記端末によりレポートされた前記測定レポートに基づいて、前記第１の周波数で前記第１のセカンダリセルを設定するように構成される、
請求項１８に記載のベースバンドユニット。
【請求項２０】
前記処理モジュールは、具体的には、前記第１のセカンダリセルの前記セル情報に基づいて、第１の周波数の数がＳ個であることを決定することであって、Ｓは２より大きい又はこれに等しい正の整数である、決定することと、前記Ｓ個の第１の周波数によって個別に所有されるセカンダリセルの数に基づいて、前記Ｓ個の第１の周波数からＴ個の第１の周波数を決定することであって、ＴはＳより小さい又はこれに等しい、決定することとを行うように構成され、
前記送信モジュールは、具体的には、測定する必要がある前記Ｔ個の第１の周波数の測定設定情報を、前記端末に送信するように構成される、
請求項１９に記載のベースバンドユニット。
【請求項２１】
コンバージェンスノードであって、
前記コンバージェンスノードは、プロセッサと、メモリとを備え、前記プロセッサと前記メモリとは、互いに通信し、
前記メモリは、命令を格納するように構成され、
前記プロセッサは、前記メモリ内の前記命令を実行し、請求項１から７のいずれか一項に記載の方法を実行するように構成される、
コンバージェンスノード。
【請求項２２】
ベースバンドユニット（ＢＢＵ）であって、
前記ベースバンドユニットは、プロセッサと、メモリとを備え、前記プロセッサと前記メモリとは、互いに通信し、
前記メモリは、命令を格納するように構成され、
前記プロセッサは、前記メモリ内の前記命令を実行して、請求項８から１０のいずれか一項に記載の方法を実行するように構成される、
ベースバンドユニット。
【請求項２３】
命令を備え、
前記命令がコンピュータ上で実行されると、前記コンピュータは、請求項１から７のいずれか一項に記載の方法を実行することを実行することが可能である、
コンピュータ可読記憶媒体。
【請求項２４】
命令を備え、
前記命令がコンピュータ上で実行されると、前記コンピュータは、請求項８から１０のいずれか一項に記載の方法を実行することが可能である、
コンピュータ可読記憶媒体。
【請求項２５】
コンピュータに請求項１から７のいずれか一項に記載の方法を実行させる、コンピュータプログラム。
【請求項２６】
コンピュータに請求項８から１０のいずれか一項に記載の方法を実行させる、コンピュータプログラム。
【請求項２７】
アンライセンスキャリア処理システムであって、
コンバージェンスノードと、ベースバンドユニット（ＢＢＵ）とを備え、
前記コンバージェンスノードと前記ベースバンドユニットとは、互いに通信し、
前記コンバージェンスノードは、請求項１１から１７のいずれか一項に記載のコンバージェンスノードであり、
前記ベースバンドユニットは、請求項１８から２０のいずれか一項に記載のベースバンドユニットである、
アンライセンスキャリア処理システム。
【手続補正２】
【補正対象書類名】明細書
【補正対象項目名】０００２
【補正方法】変更
【補正の内容】
【０００２】
ＬａｍｐＳｉｔｅは、屋内カバレッジの解決手段である。ＬａｍｐＳｉｔｅは、主に、モバイルブロードバンドデータの屋内カバレッジに重点を置く。屋内カバレッジのデジタル化によって、屋内カバレッジの構築及び保守コストが大幅に削減され、モバイルブロードバンド体験のプロモーションが促進される。
【手続補正３】
【補正対象書類名】明細書
【補正対象項目名】０００４
【補正方法】変更
【補正の内容】
【０００４】
現在の統合アクセスシステムは、屋内の共通の設定及び共有を実装し得る。コンバージェンスノードは、ベースバンドユニット（ＢＢＵ）にわたって相互接続インタフェースを開き、その結果、ＢＢＵはコンバージェンスノードにアクセスし、それにより、異なるＢＢＵを用いることにより複数のオペレータによって実行される共通の設定及び共有を実装する。先行技術では、コンバージェンスノードはライセンスキャリアのリソースを管理するように構成されてよく、異なるオペレータはオペレータに割り当てられたライセンスキャリアを用いてよく、その結果、オペレータ間で用いられるライセンス周波数は互いに独立している。
【手続補正４】
【補正対象書類名】明細書
【補正対象項目名】０００５
【補正方法】変更
【補正の内容】
【０００５】
現在の統合アクセスシステムでは、アンライセンスキャリアを用いる方法の解決手段は存在しない。アンライセンスキャリア及びライセンスキャリアが、同じマルチオペレータ共有解決手段を用いる場合、オペレータ間で用いられるアンライセンス周波数は互いに制約される。アンライセンスキャリアの周波数が共有され、干渉状態が動的に変更するので、複数のオペレータがアンライセンスキャリアの周波数を共有する必要がある場合、異なるオペレータが同じアンライセンスキャリアの周波数を選択する場合があり、強い干渉の原因となる。その結果、アンライセンスキャリアのスペクトル利用が減少する。
【手続補正５】
【補正対象書類名】明細書
【補正対象項目名】００４９
【補正方法】変更
【補正の内容】
【００４９】
本願の実施形態で提供されるアンライセンスキャリア処理システムは、単一のオペレータ及び複数のオペレータが維持管理を均一に実行するシナリオに適用可能である。アンライセンスキャリア処理システムは、異なるオペレータの独立した無線周波数（ＲＦ）信号源入力をサポートし得、未来志向で大容量の、第５世代（５Ｇ）モバイル通信技術のシナリオであるデジタル信号源入力をサポートし得る。図１に示されるように、本願の一実施形態で提供されるアンライセンスキャリア処理システムは、コンバージェンスノード及びＢＢＵを含み得る。コンバージェンスノードは、ホストオペレータのＢＢＵを用いることによって実装されてよく、又は、アンライセンスキャリアの独立した管理ユニットとして実装されてよい。アンライセンスキャリア処理システムに配置された複数のＢＢＵ、例えば、ＢＢＵ１及びＢＢＵ２、が存在してよい。各ＢＢＵはオペレータの基地局ネットワーク管理サブシステムに個別に接続され、それにより、統合アクセスシステムでの分離を実装する。
【手続補正６】
【補正対象書類名】明細書
【補正対象項目名】００５０
【補正方法】変更
【補正の内容】
【００５０】
図２を参照すると、本願の一実施形態で提供されるアンライセンスキャリア処理システムは、コンバージェンスノード及び３個のＢＢＵを含み得る。３個のＢＢＵは、それぞれ、ＢＢＵ１、ＢＢＵ２、及びＢＢＵ３である。コンバージェンスノードが離れた建物に配置されてよく、３個のＢＢＵが近端の中央機器室に配置される。ＢＢＵ１はオペレータＡの基地局ネットワーク管理サブシステム（ＢＴＳ）に接続され、ＢＢＵ２はオペレータＢの基地局ネットワーク管理サブシステムに接続され、ＢＢＵ３はオペレータＣの基地局ネットワーク管理サブシステムに接続される。コンバージェンスノードはファイバチャネルを用いることによって各ＢＢＵに接続されてよく、コンバージェンスノードはリモート無線ユニットハブ（ＲＨＵＢ）を用いることによってピコリモート無線ユニット（ｐＲＲＵ）にさらに接続されてよい。例えば、ファイバチャネルは、具体的には、共通の公共無線インタフェース（ＣＰＲＩ）チャネル及び媒体アクセス制御（ＭＡＣ）チャネルを含み得る。ＲＨＵＢはＣＰＲＩチャネルの電気的インタフェース（ＣＰＲＩ−Ｅ）を用いることによってｐＲＲＵに接続され、又はＲＨＵＢはＭＡＣチャネルの電気的インタフェースを用いることによってｐＲＲＵにさらに接続され得る。コンバージェンスノードは、動作管理（ＯＭ）チャネルを用いることによって、ホストオペレータの基地局ネットワーク管理サブシステム（ＢＴＳ（Ｒ））に接続され得る。コンバージェンスノードは、無線周波数ボード、インタフェースボード、及びメインコントロールボードを含み得る。ＢＢＵは、ベースバンドボード及びメインコントロールボードを含み得る。コンバージェンスノードのインタフェースボードは、ＢＢＵのベースバンドボードに接続され得る。
【手続補正７】
【補正対象書類名】明細書
【補正対象項目名】００６３
【補正方法】変更
【補正の内容】
【００６３】
本出願の本実施形態において、アンライセンスキャリア処理方法が提供されることが留意されるべきである。コンバージェンスノードがセカンダリセルを作成して周波数を割り当てるのに用いられ、ＢＢＵはコンバージェンスノードによって送信されたセカンダリセル情報に基づいてセカンダリセルを設定し、その結果、オペレータによって用いられるアンライセンス周波数間の相互の制約が回避され得る。アンライセンスキャリアの周波数が共有され、干渉状態が動的に変更するので、アンライセンスキャリアを用いるセカンダリセルがコンバージェンスノードで展開され、オペレータが異なるキャリアを用いることによって共有を実行するシナリオにおいて、異なる周波数が連続した瞬間の帯域幅（ＩＢＷ）の範囲で異なるオペレータによって選択されることを保証する。本出願の本実施形態において、ｐＲＲＵ間の周波数間展開の困難性を回避して干渉を削減すべく、各オペレータは、最も高いキャリアアグリゲーション仕様を用いて、ｐＲＲＵにより提供された周波数干渉情報を用いることによってアンライセンスキャリアに対する周波数を選択し得る。
【手続補正８】
【補正対象書類名】明細書
【補正対象項目名】０１３２
【補正方法】変更
【補正の内容】
【０１３２】
メモリ８０４は、リードオンリメモリ及びランダムアクセスメモリを含み得、プロセッサ８０３に命令及びデータを提供し得る。メモリ８０４の一部は、不揮発性ランダムアクセスメモリ（ＮＶＲＡＭ）をさらに含み得る。メモリ８０４は、オペレーティングシステム及び演算命令、実行モジュール又はデータ構造、又はそれらのサブネット、又はそれらの拡張セットを格納する。演算命令は、様々な演算を実装すべく、様々な演算命令を含み得る。オペレーティングシステムは、様々な基本サービスを実装し、ハードウェアベースタスクを処理すべく、様々なシステムプログラムを含み得る。
【手続補正９】
【補正対象書類名】明細書
【補正対象項目名】０１３３
【補正方法】変更
【補正の内容】
【０１３３】
プロセッサ８０３は、コンバージェンスノードの演算を制御し、プロセッサ８０３は、さらに、中央演算処理装置（ＣＰＵ）と称され得る。特定の用途において、コンバージェンスノードの複数のコンポーネントが、バスシステムを用いることによって共に連結される。データバスに加えて、バスシステムは、電力バス、制御バス、及びステータス信号バスを含む。しかしながら、明確な説明のために、図における様々なタイプのバスがバスシステムとして示される。
【手続補正１０】
【補正対象書類名】明細書
【補正対象項目名】０１３４
【補正方法】変更
【補正の内容】
【０１３４】
本出願の前述の実施形態で開示される方法がプロセッサ８０３に適用されてよく、又はプロセッサ８０３によって実装されてよい。プロセッサ８０３が集積回路チップであってよく、信号処理能力を有する。実装プロセスにおいて、前述の方法における段階が、プロセッサ８０３内のハードウェア集積論理回路を用いることによって、又はソフトウェアの形態で命令を用いることによって実装され得る。プロセッサ８０３は、汎用プロセッサ、デジタルシグナルプロセッサ（ＤＳＰ）、特定用途向け集積回路（ＡＳＩＣ）、フィールドプログラマブルゲートアレイ（ＦＰＧＡ）又は他のプログラマブル論理デバイス、ディスクリートゲート又はトランジスタ論理デバイス、又はディスクリートハードウェアコンポーネントであり得る。それは、本願の実施形態で開示される方法、段階、及び論理ブロック図を実装又は実行し得る。汎用プロセッサはマイクロプロセッサであってよく、プロセッサは任意の従来のプロセッサ等であってよい。本願の実施形態を参照して開示される方法の段階が、ハードウェア復号プロセッサによって直接実行されて実現されてよく、又は復号プロセッサ内のハードウェア及びソフトウェアモジュールの組み合わせを用いることによって実行されて実現されてよい。ソフトウェアモジュールが、ランダムアクセスメモリ、フラッシュメモリ、リードオンリメモリ、プログラム可能型リードオンリメモリ、電気的に消去可能なプログラム可能型メモリ、又はレジスタ等の当該技術分野における成熟した記憶媒体に配置され得る。記憶媒体がメモリ８０４に配置され、プロセッサ８０３がメモリ８０４内の情報を読み取り、プロセッサのハードウェアと組み合わせて前述の方法における段階を完了する。
【手続補正１１】
【補正対象書類名】明細書
【補正対象項目名】０１４１
【補正方法】変更
【補正の内容】
【０１４１】
他の可能な設計において、コンバージェンスノード又はＢＢＵがデバイス内のチップであるとき、チップは処理ユニット及び通信ユニットを含む。処理ユニットは、例えば、プロセッサであり得る。通信ユニットは、例えば、入力／出力インタフェース、ピン、又は回路であり得る。処理ユニットは、記憶ユニットに格納されているコンピュータ実行可能命令を実行し得、その結果、デバイス内のチップは、第１の態様における可能な設計のいずれか１つに係る無線通信方法を実行する。任意で、記憶ユニットはチップ内の記憶ユニット、例えば、レジスタ又はキャッシュであり、記憶ユニットは代替的に端末内にあり、且つ、チップの外側にある記憶ユニット、例えば、リードオンリメモリ（ＲＯＭ）、静的情報及び命令を格納し得る他のタイプのスタティックストレージデバイス、又はランダムアクセスメモリ（ＲＡＭ）であり得る。
【手続補正１２】
【補正対象書類名】明細書
【補正対象項目名】０１４２
【補正方法】変更
【補正の内容】
【０１４２】
任意の前述の設計で言及されたプロセッサは、第１の態様に係る無線通信方法のプログラム実行を制御するための、汎用の中央演算処理装置（ＣＰＵ）、マイクロプロセッサ、特定用途向け集積回路（ＡＳＩＣ）、又は１又は複数の集積回路であり得る。
【手続補正１３】
【補正対象書類名】明細書
【補正対象項目名】０１４４
【補正方法】変更
【補正の内容】
【０１４４】
前述の実装の説明に基づいて、当業者は、本願が必要な汎用ハードウェアに加えてソフトウェアによって、又は専用集積回路、専用ＣＰＵ、専用メモリ、専用コンポーネント等を含む、専用ハードウェアによって実装され得ることを明確に理解し得る。概して、コンピュータプログラムによって実行され得る任意の機能が、対応するハードウェアを用いることによって容易に実装され得る。さらに、同じ機能を達成するのに用いられる具体的なハードウェア構造が、様々な形態、例えば、アナログ回路、デジタル回路、専用回路等の形態であり得る。しかしながら、本願に関しては、ソフトウェアプログラム実装が、大部分の場合でよりよく実装される。そのような理解に基づいて、本願の技術解決手段は基本的に、又は先行技術に貢献する部分がソフトウェア製品の形態で実装され得る。ソフトウェア製品は、フロッピーディスク、ＵＳＢフラッシュドライブ、取り外し可能なハードディスク、リードオンリメモリ（ＲＯＭ）、ランダムアクセスメモリ（ＲＡＭ）、磁気ディスク、又はコンピュータの光ディスク等の可読記憶媒体に格納され、本願の実施形態で説明された方法を実行すべく、（パーソナルコンピュータ、サーバ、ネットワークデバイス等であり得る）コンピュータデバイスを命令するためのいくつかの命令を含む。
【国際調査報告】
2021507630.tif 000017
2021507630.tif 000018
2021507630.tif 000019
2021507630.tif 000020
2021507630.tif 000021
2021507630.tif 000022